(57)【特許請求の範囲】
【請求項１】
近接場通信技術に基づく端末アプリケーション制御方法であって、
NFC開始側装置の信号到達範囲内にある近接場通信（NFC）受信側装置により、前記NFC開始側装置によって送信されたアプリケーション制御情報を受信するステップであって、前記アプリケーション制御情報は、アプリケーションタイプを指示するために使用されるアプリケーション識別子と、有効化または無効化操作を指示するために使用される操作指示とを含み、１つのアプリケーションタイプが複数のアプリケーション識別子に対応し、前記アプリケーション識別子は、前記NFC受信側装置にインストールされたサードパーティソフトウェアの機能識別子を含む、ステップと、
前記NFC受信側装置により、前記アプリケーション制御情報を解析し、前記アプリケーション識別子および前記操作指示に従って、前記アプリケーションタイプに対応するアプリケーションに対し有効化または無効化操作を遂行するステップと
を含む、近接場通信技術に基づく端末アプリケーション制御方法。
【請求項２】
前記アプリケーション制御情報は所定の制限時間値をさらに含み、
前記アプリケーション識別子および前記操作指示に従って、前記アプリケーションタイプに対応するアプリケーションに対し有効化または無効化操作を遂行する前記ステップの後に、
前記NFC受信側装置により、第1の時間値を取得するステップであって、前記第1の時間値は、現在の時間と前記NFC受信側装置が前記アプリケーションタイプに対応するアプリケーションに遂行された前記有効化または無効化操作を完了した時間との差である、ステップと、
前記NFC受信側装置により、前記第1の時間値が前記所定の制限時間値以上か否かを判断するステップと、
前記第1の時間値が前記所定の制限時間値以上であり、且つ前記アプリケーション識別子によって指示された前記アプリケーションタイプが引き続き無効化された状態にある場合に、前記NFC受信側装置により、前記アプリケーション識別子によって指示された前記アプリケーションタイプに対応するアプリケーションに対し有効化操作を遂行するステップと
をさらに含む、請求項1に記載の近接場通信技術に基づく端末アプリケーション制御方法。
【請求項３】
前記NFC受信側装置により、前記アプリケーション制御情報を解析し、前記アプリケーション識別子および前記操作指示に従って、前記アプリケーションタイプに対応するアプリケーションに対し有効化または無効化操作を遂行する前記ステップは、
前記NFC受信側装置により、前記アプリケーション識別子および前記操作指示に従って、前記NFC受信側装置のオペレーティングシステムにある対応するアプリケーションプログラミングインターフェース（API）を呼び出し、前記アプリケーションタイプに対応するアプリケーションに対し前記有効化または無効化操作を遂行するステップ
を具体的に含む、請求項1または2に記載の近接場通信技術に基づく端末アプリケーション制御方法。
【請求項４】
前記NFC受信側装置により、前記アプリケーション制御情報を解析し、前記アプリケーション識別子および前記操作指示に従って、前記NFC受信側装置のオペレーティングシステムにある対応するアプリケーションプログラミングインターフェース（API）を呼び出し、前記アプリケーションタイプに対応するアプリケーションに対し前記有効化または無効化操作を遂行するステップは、
前記NFC受信側装置により、前記アプリケーション制御情報を解析し、前記アプリケーション識別子に従い、前記アプリケーション識別子によって指示された前記アプリケーションタイプに対応し前記NFC受信側装置の前記オペレーティングシステムにあるAPIを検索するステップと、
前記操作指示が有効化操作を指示する場合に、前記NFC受信側装置で前記アプリケーション識別子によって指示された前記アプリケーションタイプに対応するアプリケーションに対し前記有効化操作を遂行するよう、前記NFC受信側装置により、フレームワーク層にある前記APIを有効化し、または前記操作指示が無効化操作を指示する場合に、前記NFC受信側装置で前記アプリケーション識別子によって指示された前記アプリケーションタイプに対応するアプリケーションに対し前記無効化操作を遂行するよう、前記NFC受信側装置により、フレームワーク層にある前記APIを無効化するステップと
を具体的に含む、請求項3に記載の近接場通信技術に基づく端末アプリケーション制御方法。
【請求項５】
前記NFC受信側装置により、前記アプリケーション制御情報を解析し、前記アプリケーション識別子および前記操作指示に従って、前記NFC受信側装置のオペレーティングシステムにある対応するアプリケーションプログラミングインターフェース（API）を呼び出し、前記アプリケーションタイプに対応するアプリケーションに対し前記有効化または無効化操作を遂行するステップは、
前記NFC受信側装置により、前記アプリケーション制御情報を解析し、前記アプリケーション識別子に従い、前記アプリケーション識別子によって指示された前記アプリケーションタイプに対応し前記NFC受信側装置の前記オペレーティングシステムにあるAPIを検索するステップと、
前記NFC受信側装置により、前記NFC受信側装置の前記オペレーティングシステムにある前記対応するアプリケーションプログラミングインターフェース（API）を呼び出し、アプリケーション層において前記アプリケーション識別子によって指示された前記アプリケーションタイプに対応するアプリケーションに対し前記操作指示によって指示された前記有効化または無効化操作を遂行するステップと
を具体的に含む、請求項3に記載の近接場通信技術に基づく端末アプリケーション制御方法。
【請求項６】
前記アプリケーション識別子および前記操作指示に従って、前記アプリケーションタイプに対応するアプリケーションに対し有効化または無効化操作を遂行する前記ステップの後に、
前記NFC受信側装置により、前記NFC開始側装置へアプリケーション制御完了情報を送信するステップであって、前記アプリケーション制御完了情報は、前記NFC受信側装置が前記アプリケーションタイプに対応するアプリケーションに遂行された前記有効化または無効化操作を完了したことを示すために使用される、ステップ
をさらに含む、請求項1から5のいずれか一項に記載の近接場通信技術に基づく端末アプリケーション制御方法。
【請求項７】
近接場通信技術に基づく端末アプリケーション制御方法であって、
NFC開始側装置により、アプリケーション制御情報を取得するステップであって、前記アプリケーション制御情報は、アプリケーションタイプを指示するために使用されるアプリケーション識別子と、有効化または無効化操作を指示するために使用される操作指示とを含み、１つのアプリケーションタイプが複数のアプリケーション識別子に対応し、前記アプリケーション識別子は、NFC受信側装置にインストールされたサードパーティソフトウェアの機能識別子を含む、ステップと、
前記NFC開始側装置により、NFC受信側装置が前記NFC開始側装置の信号到達範囲内にあると判断したときに、前記NFC受信側装置へ前記アプリケーション制御情報を送信し、それにより、前記NFC受信側装置が、前記アプリケーション制御情報を解析し、前記アプリケーション識別子および前記操作指示に従って、前記アプリケーションタイプに対応するアプリケーションに対し有効化または無効化操作を遂行する、ステップと
を含む、近接場通信技術に基づく端末アプリケーション制御方法。
【請求項８】
前記アプリケーション制御情報は所定の制限時間値をさらに含む、請求項7に記載の近接場通信技術に基づく端末アプリケーション制御方法。
【請求項９】
前記NFC開始側装置により、NFC受信側装置が前記NFC開始側装置の信号到達範囲内にあると判断したときに、前記NFC受信側装置へ前記アプリケーション制御情報を送信する前記ステップの後に、
前記NFC開始側装置により、前記NFC受信側装置によって送信されたアプリケーション制御完了情報を受信するステップであって、前記アプリケーション制御完了情報は、前記NFC受信側装置が前記アプリケーションタイプに対応するアプリケーションに遂行された前記有効化または無効化操作を完了したことを示すために使用される、ステップ
をさらに含む、請求項7または8に記載の近接場通信技術に基づく端末アプリケーション制御方法。
【請求項１０】
NFC受信側装置であって、
NFC開始側装置の信号到達範囲内で前記NFC開始側装置によって送信されたアプリケーション制御情報を受信するように構成された受信モジュールであって、前記アプリケーション制御情報は、アプリケーションタイプを指示するために使用されるアプリケーション識別子と、有効化または無効化操作を指示するために使用される操作指示とを含み、１つのアプリケーションタイプが複数のアプリケーション識別子に対応し、前記アプリケーション識別子は、前記NFC受信側装置にインストールされたサードパーティソフトウェアの機能識別子を含む、受信モジュールと、
前記アプリケーション制御情報を解析し、前記アプリケーション識別子および前記操作指示に従って、前記アプリケーションタイプに対応するアプリケーションに対し有効化または無効化操作を遂行するように構成された実行モジュールと
を備える、NFC受信側装置。
【請求項１１】
前記アプリケーション制御情報は所定の制限時間値をさらに含み、
前記NFC受信側装置は、
前記実行モジュールが前記アプリケーションタイプに対応するアプリケーションに対し前記有効化または無効化操作を遂行した後に、第1の時間値を取得するように構成された取得モジュールであって、前記第1の時間値は、現在の時間と前記実行モジュールが前記アプリケーションタイプに対応するアプリケーションに遂行された前記有効化または無効化操作を完了した時間との差である、取得モジュールと、
前記第1の時間値が前記所定の制限時間値以上か否かを判断するように構成された判断モジュールと
をさらに備え、
前記実行モジュールは、前記第1の時間値が前記所定の制限時間値以上であり、且つ前記アプリケーション識別子によって指示された前記アプリケーションタイプが引き続き無効化された状態にある場合に、前記アプリケーション識別子によって指示された前記アプリケーションタイプに対応するアプリケーションに対し有効化操作を遂行するようにさらに構成される、請求項10に記載のNFC受信側装置。
【請求項１２】
前記実行モジュールは、前記アプリケーション識別子および前記操作指示に従って、前記NFC受信側装置のオペレーティングシステムにある対応するアプリケーションプログラミングインターフェース（API）を呼び出し、前記アプリケーションタイプに対応するアプリケーションに対し前記有効化または無効化操作を遂行するように具体的に構成される、請求項10または11に記載のNFC受信側装置。
【請求項１３】
前記実行モジュールは、
前記アプリケーション制御情報を解析するように構成された解析モジュールと、
前記アプリケーション識別子に従い、前記アプリケーション識別子によって指示された前記アプリケーションタイプに対応し前記NFC受信側装置の前記オペレーティングシステムにあるAPIを検索するように構成された検索モジュールと、
前記操作指示が有効化操作を指示する場合に、前記NFC受信側装置で前記アプリケーション識別子によって指示された前記アプリケーションタイプに対応するアプリケーションに対し前記有効化操作を遂行するよう、フレームワーク層にある前記APIを有効化し、または前記操作指示が無効化操作を指示する場合に、前記NFC受信側装置で前記アプリケーション識別子によって指示された前記アプリケーションタイプに対応するアプリケーションに対し前記無効化操作を遂行するよう、フレームワーク層にある前記APIを無効化するように構成された制御モジュールと
を具体的に備える、請求項12に記載のNFC受信側装置。
【請求項１４】
前記実行モジュールは、
前記アプリケーション制御情報を解析するように構成された解析モジュールと、
前記アプリケーション識別子に従い、前記アプリケーション識別子によって指示された前記アプリケーションタイプに対応し前記NFC受信側装置の前記オペレーティングシステムにあるAPIを検索するように構成された検索モジュールと、
前記NFC受信側装置の前記オペレーティングシステムにある前記対応するアプリケーションプログラミングインターフェース（API）を呼び出し、アプリケーション層において前記アプリケーションタイプに対応するアプリケーションに対し前記有効化または無効化操作を遂行するように構成された制御モジュールと
を具体的に備える、請求項12に記載のNFC受信側装置。
【請求項１５】
前記実行モジュールが前記アプリケーションタイプに対応するアプリケーションに対し前記有効化または無効化操作を遂行した後に、前記NFC開始側装置へアプリケーション制御完了情報を送信するように構成された送信モジュールであって、前記アプリケーション制御完了情報は、前記NFC受信側装置が前記アプリケーションタイプに対応するアプリケーションに遂行された前記有効化または無効化操作を完了したことを示すために使用される、送信モジュール
をさらに備える、請求項10から14のいずれか一項に記載のNFC受信側装置。
【請求項１６】
NFC開始側装置であって、
アプリケーション制御情報を取得するように構成された取得モジュールであって、前記アプリケーション制御情報は、アプリケーションタイプを指示するために使用されるアプリケーション識別子と、有効化または無効化操作を指示するために使用される操作指示とを含み、１つのアプリケーションタイプが複数のアプリケーション識別子に対応し、前記アプリケーション識別子は、NFC受信側装置にインストールされたサードパーティソフトウェアの機能識別子を含む、取得モジュールと、
NFC受信側装置が前記NFC開始側装置の信号到達範囲内にあると判断したときに、前記NFC受信側装置へ前記アプリケーション制御情報を送信し、それにより、前記NFC受信側装置が、前記アプリケーション制御情報を解析し、前記アプリケーション識別子および前記操作指示に従って、前記アプリケーションタイプに対応するアプリケーションに対し有効化または無効化操作を遂行する、ように構成された送信モジュールと
を備える、NFC開始側装置。
【請求項１７】
前記アプリケーション制御情報は所定の制限時間値をさらに含む、請求項16に記載のNFC開始側装置。
【請求項１８】
前記送信モジュールが前記NFC受信側装置へ前記アプリケーション制御情報を送信した後に、前記NFC受信側装置によって送信されたアプリケーション制御完了情報を受信するように構成された受信モジュールであって、前記アプリケーション制御完了情報は、前記NFC受信側装置が前記アプリケーションタイプに対応するアプリケーションに遂行された前記有効化または無効化操作を完了したことを示すために使用される、受信モジュール
をさらに備える、請求項16または17に記載のNFC開始側装置。
【請求項１９】
請求項10から15のいずれか一項に記載のNFC受信側装置と
請求項16から18のいずれか一項に記載のNFC開始側装置と
を備える、近接場通信技術に基づく端末アプリケーション制御システム。
【発明の詳細な説明】
【技術分野】
【０００１】
本発明は、通信分野に関し、具体的には近接場通信技術に基づく端末アプリケーション制御方法、装置、およびシステムに関する。
【背景技術】
【０００２】
近接場通信（Near Field Communication、略してNFC）技術は短距離非接触型識別・相互接続技術であり、磁気誘導を用いて電子装置間の短距離通信を実現する。
【０００３】
NFC技術が徐々に普及し、多くの装置にNFC機能が組み込まれている。図1に示すように、NFC装置は、NFC開始側装置1と、NFC開始側管理サーバー2と、NFC受信側装置3とを通常含む。NFC開始側管理サーバー2は有線ネットワーク方式で1つ以上のNFC開始側装置1と相互に接続され、それぞれのNFC開始側装置1を管理するように構成される。所定の短距離で隔てられたNFC開始側装置1とNFC受信側装置3はNFCプロトコルを使って互いに通信する。
【０００４】
現在のNFC技術には主に3つの機能が、すなわちカードエミュレーションと、読み取り／書き込みカードと、P2P（Peer to Peer、ピア・ツー・ピア）があり、別機能のさらなる研究、検討も進められている。
【０００５】
現在、多くの場所や企業は、例えば写真撮影禁止、ネットワークサービス禁止、通話禁止等、特定の区域に入る携帯電話機の状態について特別な要求を課している。現在の解決方法では、ユーザーに携帯電話機の電源を切ることを要求するか携帯電話機を一時的に取り上げる。携帯電話機の電源を切るよう要求されたユーザーはいつでも携帯電話機の電源を入れることができるため、携帯電話機の状態を管理するという目的は果たされない。携帯電話機を直接取り上げるやり方は易々とはユーザーに受け入れられない。
【発明の概要】
【０００６】
本発明の実施形態は、NFC技術に基づいてモバイル端末（すなわち、NFC受信側装置）の特定のアプリケーションに対して有効化（Enable）または無効化（Disable）操作を遂行できる、近接場通信技術に基づく端末アプリケーション制御方法、装置、およびシステムを提供する。
【課題を解決するための手段】
【０００７】
前述の目的を達成するため、本発明の実施形態では以下に記す解決手段が用いられる。
【０００８】
本発明の第1の態様は、近接場通信技術に基づく端末アプリケーション制御方法を提供し、方法は、
NFC開始側装置の信号到達範囲内にある近接場通信（NFC）受信側装置により、NFC開始側装置によって送信されたアプリケーション制御情報を受信するステップであって、アプリケーション制御情報は、アプリケーションタイプを指示するために使用されるアプリケーション識別子と、有効化または無効化操作を指示するために使用される操作指示とを含む、ステップと、
NFC受信側装置により、アプリケーション制御情報を解析し、アプリケーション識別子および操作指示に従って、アプリケーションタイプに対し有効化または無効化操作を遂行するステップとを含む。
【０００９】
第1の態様による第1の可能な実装様態において、アプリケーション制御情報は所定の制限時間値をさらに含み、
アプリケーションタイプに対し有効化または無効化操作を遂行するステップの後に、方法は、
NFC受信側装置により、第1の時間値を取得するステップであって、第1の時間値は、現在の時間とNFC受信側装置がアプリケーションタイプに遂行された有効化または無効化操作を完了した時間との差である、ステップと、
NFC受信側装置により、第1の時間値が所定の制限時間値以上か否かを判断するステップと、
第1の時間値が所定の制限時間値以上であり、且つアプリケーション識別子によって指示されたアプリケーションタイプが引き続き無効化された状態にある場合に、NFC受信側装置により、アプリケーション識別子によって指示されたアプリケーションタイプに対し有効化操作を遂行するステップとをさらに含む。
【００１０】
第1の態様または第1の可能な実装様態を参照し、第2の可能な実装様態において、NFC受信側装置により、アプリケーション識別子および操作指示に従って、アプリケーションタイプに対し有効化または無効化操作を遂行するステップは、
NFC受信側装置により、アプリケーション識別子および操作指示に従って、NFC受信側装置のオペレーティングシステムにある対応するアプリケーションプログラミングインターフェース（API）を呼び出し、アプリケーションタイプに対し有効化または無効化操作を遂行するステップを具体的に含む。
【００１１】
第2の可能な実装様態を参照し、第3の可能な実装様態において、NFC受信側装置により、アプリケーション制御情報を解析し、アプリケーション識別子および操作指示に従って、NFC受信側装置のオペレーティングシステムにある対応するアプリケーションプログラミングインターフェース（API）を呼び出し、アプリケーションタイプに対し有効化または無効化操作を遂行するステップは、
NFC受信側装置により、アプリケーション制御情報を解析し、アプリケーション識別子に従い、アプリケーション識別子によって指示されたアプリケーションタイプに対応しNFC受信側装置のオペレーティングシステムにあるAPIを検索するステップと、
操作指示が有効化操作を指示する場合に、NFC受信側装置でアプリケーション識別子によって指示されたアプリケーションタイプに対し有効化操作を遂行するよう、NFC受信側装置により、フレームワーク層にあるAPIを有効化し、または操作指示が無効化操作を指示する場合に、NFC受信側装置でアプリケーション識別子によって指示されたアプリケーションタイプに対し無効化操作を遂行するよう、NFC受信側装置により、フレームワーク層にあるAPIを無効化するステップとを具体的に含む。
【００１２】
第2の可能な実装様態を参照し、第4の可能な実装様態において、NFC受信側装置により、アプリケーション制御情報を解析し、アプリケーション識別子および操作指示に従って、NFC受信側装置のオペレーティングシステムにある対応するアプリケーションプログラミングインターフェース（API）を呼び出し、アプリケーションタイプに対し有効化または無効化操作を遂行するステップは、
NFC受信側装置により、アプリケーション制御情報を解析し、アプリケーション識別子に従い、アプリケーション識別子によって指示されたアプリケーションタイプに対応しNFC受信側装置のオペレーティングシステムにあるAPIを検索するステップと、
NFC受信側装置により、NFC受信側装置のオペレーティングシステムにある対応するアプリケーションプログラミングインターフェース（API）を呼び出し、アプリケーション層においてアプリケーション識別子によって指示されたアプリケーションタイプに対し操作指示によって指示された有効化または無効化操作を遂行するステップとを具体的に含む。
【００１３】
第1の態様、または第1の可能な実装様態から第4の可能な実装様態までのいずれか1つを参照し、第5の可能な実装様態において、アプリケーションタイプに対し有効化または無効化操作を遂行するステップの後に、方法は、
NFC受信側装置により、NFC開始側装置へアプリケーション制御完了情報を送信するステップであって、アプリケーション制御完了情報は、NFC受信側装置がアプリケーションタイプに遂行された有効化または無効化操作を完了したことを示すために使用される、ステップをさらに含む。
【００１４】
本発明の第2の態様は、近接場通信技術に基づく端末アプリケーション制御方法をさらに提供し、方法は、
NFC開始側装置により、アプリケーション制御情報を取得するステップであって、アプリケーション制御情報は、アプリケーションタイプを指示するために使用されるアプリケーション識別子と、有効化または無効化操作を指示するために使用される操作指示とを含む、ステップと、
NFC開始側装置により、NFC受信側装置がNFC開始側装置の信号到達範囲内にあると判断したときに、NFC受信側装置へアプリケーション制御情報を送信し、それにより、NFC受信側装置が、アプリケーション制御情報を解析し、アプリケーション識別子および操作指示に従って、NFC受信側装置のオペレーティングシステムにある対応するアプリケーションプログラミングインターフェース（API）を呼び出し、アプリケーションタイプに対し有効化または無効化操作を遂行する、ステップとを含む。
【００１５】
第2の態様を参照し、第1の可能な実装様態において、アプリケーション制御情報は所定の制限時間値をさらに含む。
【００１６】
第2の態様または第1の可能な実装様態を参照し、第2の可能な実装様態において、NFC開始側装置により、NFC受信側装置へアプリケーション制御情報を送信するステップの後、方法は、
NFC開始側装置により、NFC受信側装置によって送信されたアプリケーション制御完了情報を受信するステップであって、アプリケーション制御完了情報は、NFC受信側装置がアプリケーションタイプに遂行された有効化または無効化操作を完了したことを示すために使用される、ステップをさらに含む。
【００１７】
本発明の第3の態様は、NFC受信側装置を提供し、NFC受信側装置は、
NFC開始側装置の信号到達範囲内でNFC開始側装置によって送信されたアプリケーション制御情報を受信するように構成された受信モジュールであって、アプリケーション制御情報は、アプリケーションタイプを指示するために使用されるアプリケーション識別子と、有効化または無効化操作を指示するために使用される操作指示とを含む、受信モジュールと、
アプリケーション制御情報を解析し、アプリケーション識別子および操作指示に従って、アプリケーションタイプに対し有効化または無効化操作を遂行するように構成された実行モジュールとを含む。
【００１８】
第3の態様による第1の可能な実装様態において、アプリケーション制御情報は所定の制限時間値をさらに含み、NFC受信側装置は、
実行モジュールがアプリケーションタイプに対し有効化または無効化操作を遂行した後に、第1の時間値を取得するように構成された取得モジュールであって、第1の時間値は、現在の時間と実行モジュールがアプリケーションタイプに遂行された有効化または無効化操作を完了した時間との差である、取得モジュールと、
第1の時間値が所定の制限時間値以上か否かを判断するように構成された判断モジュールとをさらに含み、
実行モジュールは、第1の時間値が所定の制限時間値以上であり、且つアプリケーション識別子によって指示されたアプリケーションタイプが引き続き無効化された状態にある場合に、アプリケーション識別子によって指示されたアプリケーションタイプに対し有効化操作を遂行するようにさらに構成される。
【００１９】
第3の態様または第1の可能な実装様態による第2の可能な実装様態において、実行モジュールは、アプリケーション識別子および操作指示に従って、NFC受信側装置のオペレーティングシステムにある対応するアプリケーションプログラミングインターフェース（API）を呼び出し、アプリケーションタイプに対し有効化または無効化操作を遂行するように具体的に構成される。
【００２０】
第2の可能な実装様態を参照し、第3の可能な実装様態において、実行モジュールは、
アプリケーション制御情報を解析するように構成された解析モジュールと、
アプリケーション識別子に従い、アプリケーション識別子によって指示されたアプリケーションタイプに対応しNFC受信側装置のオペレーティングシステムにあるAPIを検索するように構成された検索モジュールと、
操作指示が有効化操作を指示する場合に、NFC受信側装置でアプリケーション識別子によって指示されたアプリケーションタイプに対し有効化操作を遂行するよう、フレームワーク層にあるAPIを有効化し、または操作指示が無効化操作を指示する場合に、NFC受信側装置でアプリケーション識別子によって指示されたアプリケーションタイプに対し無効化操作を遂行するよう、フレームワーク層にあるAPIを無効化するように構成された制御モジュールとを具体的に含む。
【００２１】
第2の可能な実装様態を参照し、第4の可能な実装様態において、実行モジュールは、
アプリケーション制御情報を解析するように構成された解析モジュールと、
アプリケーション識別子に従い、アプリケーション識別子によって指示されたアプリケーションタイプに対応しNFC受信側装置のオペレーティングシステムにあるAPIを検索するように構成された検索モジュールと、
NFC受信側装置のオペレーティングシステムにある対応するアプリケーションプログラミングインターフェース（API）を呼び出し、アプリケーション層にあるアプリケーションタイプに対し有効化または無効化操作を遂行するように構成された制御モジュールとを具体的に含む。
【００２２】
第3の態様、または第1の可能な実装様態から第4の可能な実装様態までのいずれか1つを参照し、第5の可能な実装様態において、NFC受信側装置は、
実行モジュールがアプリケーションタイプに対し有効化または無効化操作を遂行した後に、NFC開始側装置へアプリケーション制御完了情報を送信するように構成された送信モジュールであって、アプリケーション制御完了情報は、NFC受信側装置がアプリケーションタイプに遂行された有効化または無効化操作を完了したことを示すために使用される、送信モジュールをさらに含む。
【００２３】
本発明の第4の態様は、NFC開始側装置を提供し、NFC開始側装置は、
アプリケーション制御情報を取得するように構成された取得モジュールであって、アプリケーション制御情報は、アプリケーションタイプを指示するために使用されるアプリケーション識別子と、有効化または無効化操作を指示するために使用される操作指示とを含む、取得モジュールと、
NFC受信側装置がNFC開始側装置の信号到達範囲内にあると判断したときに、NFC受信側装置へアプリケーション制御情報を送信し、それにより、NFC受信側装置が、アプリケーション制御情報を解析し、アプリケーション識別子および操作指示に従って、アプリケーションタイプに対し有効化または無効化操作を遂行する、ように構成された送信モジュールとを含む。
【００２４】
第4の態様による第1の可能な実装様態において、アプリケーション制御情報は所定の制限時間値をさらに含む。
【００２５】
第4の態様または第1の可能な実装様態による第2の可能な実装様態において、NFC開始側装置は、
送信モジュールがNFC受信側装置へアプリケーション制御情報を送信した後に、NFC受信側装置によって送信されたアプリケーション制御完了情報を受信するように構成された受信モジュールであって、アプリケーション制御完了情報は、NFC受信側装置がアプリケーションタイプに遂行された有効化または無効化操作を完了したことを示すために使用される、受信モジュールをさらに含む。
【００２６】
本発明の第5の態様は、NFC受信側装置を提供し、NFC受信側装置は、
NFC開始側装置の信号到達範囲内でNFC開始側装置によって送信されたアプリケーション制御情報を受信するように構成された受信器であって、アプリケーション制御情報は、アプリケーションタイプを指示するために使用されるアプリケーション識別子と、有効化または無効化操作を指示するために使用される操作指示とを含む、受信器と、
アプリケーション制御情報を解析し、アプリケーション識別子および操作指示に従って、アプリケーションタイプに対し有効化または無効化操作を遂行するように構成された処理器とを含む。
【００２７】
第5の態様による第1の可能な実装様態において、アプリケーション制御情報は所定の制限時間値をさらに含み、
受信器は、処理器がアプリケーションタイプに対し有効化または無効化操作を遂行した後に、第1の時間値を取得するようにさらに構成され、第1の時間値は、現在の時間と実行モジュールがアプリケーションタイプに遂行された有効化または無効化操作を完了した時間との差であり、
処理器は、第1の時間値が所定の制限時間値以上か否かを判断し、第1の時間値が所定の制限時間値以上であり、且つアプリケーション識別子によって指示されたアプリケーションタイプが引き続き無効化された状態にある場合に、アプリケーション識別子によって指示されたアプリケーションタイプに対し有効化操作を遂行するようにさらに構成される。
【００２８】
第5の態様または第1の可能な実装様態を参照し、第2の可能な実装様態において、処理器は、アプリケーション識別子および操作指示に従って、NFC受信側装置のオペレーティングシステムにある対応するアプリケーションプログラミングインターフェース（API）を呼び出し、アプリケーションタイプに対し有効化または無効化操作を遂行するように具体的に構成される。
【００２９】
第2の可能な実装様態を参照し、第3の可能な実装様態において、処理器は、アプリケーション制御情報を解析し、アプリケーション識別子に従い、アプリケーション識別子によって指示されたアプリケーションタイプに対応しNFC受信側装置のオペレーティングシステムにあるAPIを検索し、操作指示が有効化操作を指示する場合に、NFC受信側装置でアプリケーション識別子によって指示されたアプリケーションタイプに対し有効化操作を遂行するよう、フレームワーク層にあるAPIを有効化し、または操作指示が無効化操作を指示する場合に、NFC受信側装置でアプリケーション識別子によって指示されたアプリケーションタイプに対し無効化操作を遂行するよう、フレームワーク層にあるAPIを無効化するように具体的に構成される。
【００３０】
第2の可能な実装様態を参照し、第4の可能な実装様態において、処理器は、アプリケーション制御情報を解析し、アプリケーション識別子に従い、アプリケーション識別子によって指示されたアプリケーションタイプに対応しNFC受信側装置のオペレーティングシステムにあるAPIを検索し、NFC受信側装置のオペレーティングシステムにある対応するアプリケーションプログラミングインターフェース（API）を呼び出し、アプリケーション層にあるアプリケーションタイプに対し有効化または無効化操作を遂行するように具体的に構成される。
【００３１】
第5の態様、または第1の可能な実装様態から第4の可能な実装様態までのいずれか1つを参照し、第5の可能な実装様態において、NFC受信側装置は、
処理器がアプリケーション識別子によって指示されたアプリケーションタイプに対し操作指示によって指示された有効化または無効化操作を遂行した後に、NFC開始側装置へアプリケーション制御完了情報を送信するように構成された送信器であって、アプリケーション制御完了情報は、NFC受信側装置がアプリケーションタイプに遂行された有効化または無効化操作を完了したことを示すために使用される、送信器をさらに含む。
【００３２】
本発明の第6の態様は、NFC開始側装置を提供し、NFC開始側装置は、
アプリケーション制御情報を取得するように構成された受信器であって、アプリケーション制御情報は、アプリケーションタイプを指示するために使用されるアプリケーション識別子と、有効化または無効化操作を指示するために使用される操作指示とを含む、受信器と、
NFC受信側装置がNFC開始側装置の信号到達範囲内にあると判断したときに、NFC受信側装置へアプリケーション制御情報を送信し、それにより、NFC受信側装置が、アプリケーション制御情報を解析し、アプリケーション識別子および操作指示に従って、アプリケーションタイプに対し有効化または無効化操作を遂行する、ように構成された送信器とを含む。
【００３３】
第6の態様による第1の可能な実装様態において、アプリケーション制御情報は所定の制限時間値をさらに含む。
【００３４】
第6の態様または第1の可能な実装様態による第2の可能な実装様態において、受信器は、送信器がNFC受信側装置へアプリケーション制御情報を送信した後に、NFC受信側装置によって送信されたアプリケーション制御完了情報を受信するようにさらに構成され、アプリケーション制御完了情報は、NFC受信側装置がアプリケーションタイプに遂行された有効化または無効化操作を完了したことを示すために使用される。
【００３５】
本発明の第7の態様は、第3の態様に記載されたNFC受信側装置と、第4の態様に記載されたNFC開始側装置とを含む、セキュリティ分類変更システムを提供する。
【００３６】
本発明の第8の態様は、第5の態様に記載されたNFC受信側装置と、第6の態様に記載されたNFC開始側装置とを含む、セキュリティ分類変更システムを提供する。
【００３７】
本発明の実施形態で提供される近接場通信技術に基づく端末アプリケーション制御方法、装置、およびシステムによると、NFC受信側装置は、NFC開始側装置の信号到達範囲内でNFC開始側装置によって送信されたアプリケーション制御情報を受信し、ここで、アプリケーション制御情報は、アプリケーションタイプを指示するために使用されるアプリケーション識別子と、有効化または無効化操作を指示するために使用される操作指示とを含み、NFC受信側装置は、アプリケーション制御情報を解析し、アプリケーション識別子および操作指示に従って、アプリケーションタイプに対し有効化または無効化操作を遂行する。
【００３８】
本発明で前述した実施形態の説明によると、NFC受信側装置は、NFC開始側装置によって送信されたアプリケーション制御情報を受信でき、ここで、アプリケーション制御情報は、アプリケーションタイプを指示するために使用されるアプリケーション識別子と、有効化または無効化操作を指示するために使用される操作指示とを含むため、NFC受信側装置は、アプリケーション制御情報を解析することによって取得されたアプリケーション識別子および操作指示に従って、アプリケーションタイプに対し有効化または無効化操作を遂行する。また、先行技術のように携帯電話機の電源を切ることをユーザーに要求したり携帯電話機を直接取り上げたりする代わりに、NFC開始側装置の信号到達範囲内にある全てのモバイル端末（すなわち、NFC受信側装置）の特定のアプリケーションに対し有効化（Enable）または無効化（Disable）操作を合理的に遂行できるため、モバイル端末の操作効率は向上する。
【００３９】
本発明の実施形態は、添付の図面を参照し、以下に説明される。
【図面の簡単な説明】
【００４０】
【図１】先行技術におけるNFC装置の構造組成図である。
【図２】本発明の実施形態1による近接場通信技術に基づく端末アプリケーション制御方法の概略流れ図である。
【図３】本発明の実施形態2による近接場通信技術に基づく端末アプリケーション制御方法の概略流れ図である。
【図４】本発明の実施形態2によるもうひとつの近接場通信技術に基づく端末アプリケーション制御方法の概略流れ図である。
【図５】本発明の一実施形態によるNFC受信側装置のシステムアーキテクチャ図である。
【図６】本発明の実施形態3による近接場通信技術に基づく端末アプリケーション制御方法の概略流れ図である。
【図７】本発明の実施形態4による近接場通信技術に基づく端末アプリケーション制御方法の概略流れ図である。
【図８】本発明の実施形態6によるNFC受信側装置の概略構造図1である。
【図９】本発明の実施形態6によるNFC受信側装置の概略構造図2である。
【図１０】本発明の実施形態6によるNFC受信側装置の概略構造図3である。
【図１１】本発明の実施形態6によるNFC受信側装置の概略構造図4である。
【図１２】本発明の実施形態7によるNFC開始側装置の概略構造図1である。
【図１３】本発明の実施形態7によるNFC開始側装置の概略構造図2である。
【図１４】本発明の実施形態8によるNFC受信側装置の概略構造図1である。
【図１５】本発明の実施形態8によるNFC受信側装置の概略構造図2である。
【図１６】本発明の実施形態9によるNFC開始側装置の概略構造図である。
【図１７】本発明の一実施形態によるネットワーク様態の概略図である。
【発明を実施するための形態】
【００４１】
本発明の実施形態は、添付の図面を参照し、以下に説明される。
【００４２】
加えて、本明細書では、用語「システム」および「ネットワーク」が互換的に使用されることがある。本明細書における用語「および／または」は専ら関連する物の関係を表すものであり、3つの関係があり得ることを意味する。例えば、Aおよび／またはBは、3つのケースを、すなわちAのみ存在するケースと、AとBの両方が存在するケースと、Bのみ存在するケースとを意味し得る。加えて、本仕様書における文字「／」は関連する物の「または」関係を通常意味する。
【００４３】
実施形態1
本発明のこの実施形態は近接場通信技術に基づく端末アプリケーション制御方法を提供する。図2に示すように、近接場通信技術に基づく端末アプリケーション制御方法は下記ステップを含む。
【００４４】
S101．近接場通信（NFC）受信側装置はNFC開始側装置の信号到達範囲内でNFC開始側装置によって送信されたアプリケーション制御情報を受信し、アプリケーション制御情報は、アプリケーションタイプを指示するために使用されるアプリケーション識別子と、有効化または無効化操作を指示するために使用される操作指示とを含む。
【００４５】
具体的に述べると、本発明の本実施形態におけるNFC受信側装置は、携帯電話機、タブレットコンピュータ、個人用デジタル補助装置（Personal Digital Assistant、PDA）、ウェアラブル装置等の装置のいずれか1つであってよく、NFC開始側装置は全体的な通信プロセスのため無線周波電磁場を提供できる装置であってよく、これは本発明において限定されない。
【００４６】
尚、先行技術では、NFC受信側装置が特定の区域に入る際にNFC受信側装置の電源を一時的に切るか、NFC受信側装置を保管のため指名人に一時的に手渡すしかなかない。例えば、航空機に乗るユーザーは、NFC受信側装置による航空機通信の妨害を防ぐため、航空機が離陸する前に、通信機能サービスが有効になっている携帯電話機やタブレットコンピュータ等のNFC受信側装置の電源を切る必要があり、会議のため会議室に入るユーザーは、会議の邪魔になることを防ぐため、音が鳴る携帯電話機等のNFC受信側装置を手作業で調整してバイブレート状態かサイレント状態にする必要がある。
【００４７】
NFC受信側装置の電源を一時的に切るかNFC受信側装置を保管のため指名人に手渡す先行技術の方法と比べて、本発明の本実施形態で使用される方法では、NFC受信側装置はNFC開始側装置によって送信されたアプリケーション制御情報を受信できるため、NFC開始側装置によって送信されたアプリケーション制御情報に従って、アプリケーションタイプに対し有効化または無効化操作が遂行される。
【００４８】
尚、アプリケーション制御情報はNFC開始側装置の信号到達範囲内にリアルタイムで存在する。NFC受信側装置がNFC開始側装置の信号到達範囲内に入ると、NFC受信側装置はNFC開始側装置によって送信されたアプリケーション制御情報を自動的に受信できる。あるいは、NFC受信側装置がNFC開始側装置の信号到達範囲内に入ると、NFC受信側装置は最初にNFC開始側装置とやり取りし、その後NFC開始側装置によって送信されるアプリケーション制御情報を受信してもよく、これは本発明において限定されない。
【００４９】
尚、アプリケーション制御情報は、アプリケーションタイプを指示するために使用されるアプリケーション識別子と、有効化または無効化操作を指示するために使用される操作指示とを含む。1つのアプリケーションタイプが複数のアプリケーション識別子に対応してよい。例えば、アプリケーションタイプがno photo/videoなら、アプリケーションタイプに対応するアプリケーション識別子はNFC受信側装置のネイティブカメラの機能識別子を含むほか、NFC受信側装置にインストールされカメラに使用するサードパーティソフトウェアの機能識別子をさらに含む。アプリケーションタイプがno data serviceなら、アプリケーションタイプに対応するアプリケーション識別子はNFC受信側装置のネイティブデータサービスの機能識別子を含むほか、NFC受信側装置にインストールされデータサービスに接続できるサードパーティソフトウェアの機能識別子をさらに含む。
【００５０】
また、NFC開始側装置によって送信されるアプリケーション制御情報の設定はあらかじめ完了しており、アプリケーション制御情報は、アプリケーションタイプを指示するために使用されるアプリケーション識別子を含み、アプリケーション識別子は、NFC受信側装置にインストールされた少なくとも1つのアプリケーションを指示する。アプリケーションタイプのアプリケーション識別子によって指示されるアプリケーションがNFC受信側装置にインストールされていない場合、NFC受信側装置はアプリケーション制御情報を受信した後に操作を遂行しない。
【００５１】
S102．NFC受信側装置は、アプリケーション制御情報を解析し、アプリケーション識別子および操作指示に従って、アプリケーションタイプに対し有効化または無効化操作を遂行する。
【００５２】
具体的に述べると、NFC受信側装置はNFC開始側装置によって送信されたアプリケーション制御情報を受信した後にアプリケーション制御情報を解析し、アプリケーションタイプを指示するために使用されるアプリケーション識別子と、有効化または無効化操作を指示するために使用される操作指示とを取得する。NFC受信側装置は、アプリケーション識別子および操作指示に従って、アプリケーションタイプに対し有効化または無効化操作を遂行する。
【００５３】
具体的に述べると、NFC受信側装置は、アプリケーション制御情報に従い、アプリケーション識別子によって指示されたアプリケーションタイプに対し操作指示によって指示された有効化または無効化操作を遂行する。アプリケーション識別子によって指示されたアプリケーションタイプに対し操作指示によって指示された有効化または無効化操作を遂行する具体的実装については、本発明の実施形態5の具体的応用シナリオに記載された関連説明を参照でき、本発明の本実施形態では詳細を説明しない。
【００５４】
本発明の本実施形態は近接場通信技術に基づく端末アプリケーション制御方法を提供する。近接場通信（NFC）受信側装置はNFC開始側装置の信号到達範囲内でNFC開始側装置によって送信されたアプリケーション制御情報を受信し、アプリケーション制御情報は、アプリケーションタイプを指示するために使用されるアプリケーション識別子と、有効化または無効化操作を指示するために使用される操作指示とを含み、NFC受信側装置は、アプリケーション制御情報を解析し、アプリケーション識別子および操作指示に従って、アプリケーションタイプに対し有効化または無効化操作を遂行する。
【００５５】
本発明で前述した実施形態の説明によると、NFC受信側装置はNFC開始側装置によって送信されたアプリケーション制御情報を受信でき、アプリケーション制御情報は、アプリケーションタイプを指示するために使用されるアプリケーション識別子と、有効化または無効化操作を指示するために使用される操作指示とを含むため、NFC受信側装置は、アプリケーション制御情報を解析することによって取得されたアプリケーション識別子および操作指示に従って、NFC受信側装置のオペレーティングシステムにある対応するアプリケーションプログラミングインターフェース（API）を呼び出し、アプリケーションタイプに対し有効化または無効化操作を遂行する。また、先行技術のように携帯電話機の電源を切ることをユーザーに要求したり携帯電話機を直接取り上げたりする代わりに、NFC開始側装置の信号到達範囲内にある全てのモバイル端末（すなわち、NFC受信側装置）の特定のアプリケーションに対し有効化（Enable）または無効化（Disable）操作を合理的に遂行できるため、モバイル端末の操作効率は向上する。
【００５６】
実施形態2
本発明のこの実施形態は近接場通信技術に基づく端末アプリケーション制御方法を提供する。近接場通信技術に基づく端末アプリケーション制御方法は下記ステップを含む。
【００５７】
S201．NFC受信側装置はNFC開始側装置の信号到達範囲内でNFC開始側装置によって送信されたアプリケーション制御情報を受信し、アプリケーション制御情報は、アプリケーションタイプを指示するために使用されるアプリケーション識別子と、有効化または無効化操作を指示するために使用される操作指示とを含む。
【００５８】
尚、本実施形態のNFC受信側装置は実施形態1のNFC受信側装置と同じであるため、本実施形態のNFC受信側装置の具体的説明については実施形態1の関連内容を参照でき、ここでは詳細を説明しない。
【００５９】
NFC受信側装置の電源を一時的に切るかNFC受信側装置を保管のため指名人に手渡す先行技術の方法と比べて、本発明の本実施形態で使用される方法では、NFC受信側装置はNFC開始側装置によって送信されたアプリケーション制御情報を受信できるため、NFC開始側装置によって送信されたアプリケーション制御情報に従って、アプリケーション識別子によって指示されたアプリケーションタイプに対し有効化または無効化操作が遂行され、様々な応用シナリオの中でNFC受信側装置のアプリケーションタイプを有効化または無効化できる。
【００６０】
尚、アプリケーション制御情報は、アプリケーションタイプを指示するために使用されるアプリケーション識別子と、有効化または無効化操作を指示するために使用される操作指示とを含む。1つのアプリケーションタイプが複数のアプリケーション識別子に対応してよい。例えば、アプリケーションタイプがno photo/videoなら、アプリケーションタイプに対応するアプリケーション識別子はNFC受信側装置のネイティブカメラの機能識別子を含むほか、NFC受信側装置にインストールされカメラに使用するサードパーティソフトウェアの機能識別子をさらに含む。アプリケーションタイプがno data serviceなら、アプリケーションタイプに対応するアプリケーション識別子はNFC受信側装置のネイティブデータサービスの機能識別子を含むほか、NFC受信側装置にインストールされデータサービスに接続できるサードパーティソフトウェアの機能識別子をさらに含む。
【００６１】
S202．NFC受信側装置は、アプリケーション制御情報を解析し、アプリケーション識別子および操作指示に従って、アプリケーションタイプに対し有効化または無効化操作を遂行する。
【００６２】
具体的に述べると、NFC受信側装置はNFC開始側装置によって送信されたアプリケーション制御情報を受信した後にアプリケーション制御情報を解析し、アプリケーションタイプを指示するために使用されるアプリケーション識別子と、有効化または無効化操作を指示するために使用される操作指示とを取得する。NFC受信側装置は、アプリケーション識別子と操作指示に従い、アプリケーション識別子によって指示されたアプリケーションタイプに対し操作指示によって指示された有効化または無効化操作を遂行する。
【００６３】
具体的に述べると、NFC受信側装置により、アプリケーション識別子および操作指示に従って、アプリケーションタイプに対し有効化または無効化操作を遂行するステップS202は、ステップS202aを含み得る。
【００６４】
S202a．NFC受信側装置は、アプリケーション識別子および操作指示に従って、NFC受信側装置のオペレーティングシステムにある対応するアプリケーションプログラミングインターフェース（API）を呼び出し、アプリケーションタイプに対し有効化または無効化操作を遂行する。
【００６５】
具体的に述べると、図3に示すように、NFC受信側装置によりアプリケーションタイプに対し有効化または無効化操作を遂行するステップS202aはステップS202aaおよびS202abを含み得る。
【００６６】
S202aa．NFC受信側装置はアプリケーション制御情報を解析し、アプリケーション識別子に従い、アプリケーション識別子によって指示されたアプリケーションタイプに対応しNFC受信側装置のオペレーティングシステムにあるAPIを検索する。
【００６７】
NFC受信側装置はアプリケーション制御情報を解析した後に、アプリケーションタイプを指示するために使用されるアプリケーション識別子と、有効化または無効化操作を指示するために使用される操作指示とを取得する。NFC受信側装置は、アプリケーション識別子に従い、アプリケーション識別子によって指示されたアプリケーションタイプに対応しNFC受信側装置のオペレーティングシステムにあるAPIを検索する。
【００６８】
尚、1つのアプリケーションタイプは1つのAPIに対応しているため、1つのAPIは複数のアプリケーション識別子に対応してよい。例えば、アプリケーションタイプがno photo/videoなら、アプリケーションタイプに対応するアプリケーション識別子はNFC受信側装置のネイティブカメラの機能識別子を含むほか、NFC受信側装置にインストールされカメラに使用するサードパーティソフトウェアの機能識別子をさらに含む。これらのアプリケーション識別子はいずれも1つのAPIを共用し、APIはNFC受信側装置のシステムアーキテクチャでフレームワーク層（Framework Layer）に位置する。
【００６９】
S202ab．NFC受信側装置は、操作指示が有効化操作を指示する場合に、NFC受信側装置でアプリケーション識別子によって指示されたアプリケーションタイプに対し有効化操作を遂行するよう、フレームワーク層にあるAPIを有効化し、またはNFC受信側装置は、操作指示が無効化操作を指示する場合に、NFC受信側装置でアプリケーション識別子によって指示されたアプリケーションタイプに対し無効化操作を遂行するよう、フレームワーク層にあるAPIを無効化する。
【００７０】
具体的に述べると、NFC受信側装置は、操作指示が有効化操作を指示する場合に、NFC受信側装置でアプリケーション識別子によって指示されたアプリケーションタイプに対し有効化操作を遂行するよう、操作指示によって指示された有効化操作に従って、フレームワーク層にあるAPIを有効化し、またはNFC受信側装置は、操作指示が無効化操作を指示する場合に、NFC受信側装置でアプリケーション識別子によって指示されたアプリケーションタイプに対し無効化操作を遂行するよう、操作指示によって指示された無効化操作に従って、フレームワーク層にあるAPIを無効化する。
【００７１】
尚、APIはフレームワーク層で有効化または無効化されるため、アプリケーション層にあるアプリケーションのためにフレームワーク層にあるAPIを呼び出すことはできなくなり、ユーザーはそれ以上アプリケーションを手作業で操作できなくなる。ここで、アプリケーションはAPIを呼び出す必要がある全てのアプリケーションを指す。
【００７２】
具体的に述べると、これとは別に、図4に示すように、NFC受信側装置によりアプリケーションタイプに対し有効化または無効化操作を遂行するステップS202aは、ステップS202acおよびS202adを含み得る。
【００７３】
S202ac．NFC受信側装置はアプリケーション制御情報を解析し、アプリケーション識別子に従い、アプリケーション識別子によって指示されたアプリケーションタイプに対応しNFC受信側装置のオペレーティングシステムにあるAPIを検索する。
【００７４】
NFC受信側装置はアプリケーション制御情報を解析し、アプリケーションタイプを指示するために使用されるアプリケーション識別子と、有効化または無効化操作を指示するために使用される操作指示とを取得する。NFC受信側装置は、アプリケーション識別子に従い、アプリケーション識別子によって指示されたアプリケーションタイプに対応しNFC受信側装置のオペレーティングシステムにあるAPIを検索する。
【００７５】
尚、1つのアプリケーションタイプは1つのAPIに対応しているため、1つのAPIは複数のアプリケーション識別子に対応してよい。例えば、アプリケーションタイプがno photo/videoなら、アプリケーションタイプに対応するアプリケーション識別子はNFC受信側装置のネイティブカメラの機能識別子を含むほか、NFC受信側装置にインストールされカメラに使用するサードパーティソフトウェアの機能識別子をさらに含む。これらのアプリケーション識別子はいずれも1つのAPIを共用し、APIはNFC受信側装置のシステムアーキテクチャでフレームワーク層（Framework Layer）に位置する。
【００７６】
S202ad．NFC受信側装置はNFC受信側装置のオペレーティングシステムにある対応するアプリケーションプログラミングインターフェース（API）を呼び出し、アプリケーション層にあるアプリケーションタイプに対し有効化または無効化操作を遂行する。
【００７７】
具体的に述べると、NFC受信側装置は、操作指示によって指示された有効化または無効化操作に従って、NFC受信側装置のオペレーティングシステムにある対応するアプリケーションプログラミングインターフェース（API）を呼び出し、アプリケーション層にあるアプリケーションタイプに対し有効化または無効化操作を遂行する。
【００７８】
尚、有効化または無効化操作はアプリケーション層にあるアプリケーションタイプに対して遂行されるため、アプリケーション層にあるアプリケーションのためにフレームワーク層にあるAPIを呼ぶ出すことは引き続き可能であり、ユーザーはアプリケーションを手作業で操作できる。ここで、アプリケーションはAPIを呼び出す必要がある全てのアプリケーションを指す。
【００７９】
具体的に述べると、一例においてNFC受信側装置のシステムはAndroidシステムである。図5にはNFC受信側装置のシステムアーキテクチャが図示されており、層は、下から上の順にLinux（登録商標）カーネル、Androidランタイム、ライブラリ、フレームワーク層、およびアプリケーション層であり、Linuxカーネルは、Linuxオペレーティングシステムに基づいてコアシステムサービスを提供するために使用され、Androidランタイムは、コアライブラリセットであってJava（登録商標）コアクラスライブラリの機能を提供し、ライブラリは、C／C++ライブラリであり、フレームワーク層は、オープン開発プラットフォームであり、アプリケーション層は、アプリケーションプログラムセットである。NFC受信側装置が情報を受信すると、この情報はNFC受信側装置のシステムアーキテクチャの最下層から上に伝送される。本発明の本実施形態で提供される近接場通信技術に基づく端末アプリケーション制御方法では、NFC開始側装置によって送信されたアプリケーション制御情報の解析機能がフレームワーク層に加えられ、NFCサービスのためAPIが開放される。NFC受信側装置はNFC開始側装置によって送信されたアプリケーション制御情報を受信した後にアプリケーション制御情報を解析し、アプリケーション識別子と操作指示に従い、フレームワーク層にあるAPIを有効化または無効化するよう、ステップS202aaおよびS202abを遂行してよく、あるいはアプリケーション層にあるアプリケーションタイプに対し有効化または無効化操作を遂行するよう、S202acおよびS202adを遂行してよい。
【００８０】
S203．NFC受信側装置はNFC開始側装置へアプリケーション制御完了情報を送信する。
【００８１】
アプリケーション制御完了情報は、NFC受信側装置がアプリケーションタイプに遂行された有効化または無効化操作を完了したことを示すために使用される。
【００８２】
NFC受信側装置はアプリケーションタイプに対し有効化または無効化操作を遂行した後に、操作が完了していることをNFC開始側装置に伝えるため、NFC開始側装置に向けてアプリケーション制御完了情報をさらに送信できる。
【００８３】
尚、NFC受信側装置はNFC開始側装置へアプリケーション制御完了情報を送信し、これをもとにNFC受信側装置はNFC受信側装置がアプリケーションタイプに遂行された有効化または無効化操作を完了した時間を知ることができるため、第1の時間値がその後計算される。具体的に述べると、第1の時間値の定義と計算方法は以降の実施形態で詳述されており、ここでは詳細を説明しない。
【００８４】
S204．NFC受信側装置は第1の時間値を取得し、第1の時間値は現在の時間とNFC受信側装置がアプリケーションタイプに遂行された有効化または無効化操作を完了した時間との差である。
【００８５】
アプリケーション制御情報は所定の制限時間値をさらに含む。
【００８６】
尚、所定の制限時間値はゼロより大きい期間である。
【００８７】
NFC受信器装置がアプリケーションタイプに遂行された有効化または無効化操作を完了した後に、ユーザーがアプリケーション識別子によって指示されたアプリケーションタイプに対し有効化操作を再度遂行することを忘れるケースを防ぐため、例えば、NFC受信側装置は携帯電話機あって、ユーザーが守秘義務のある実験室に入る際に、本発明の本実施形態のステップS201〜S203でアプリケーションタイプに対し有効化または無効化操作が遂行された後に携帯電話機が通常の状態からno-photo状態に変えられ、フレームワーク層で写真／ビデオ機能に対応するAPIが無効化される場合、写真機能を有するアプリケーションはユーザーがアプリケーションをタップしても反応しない。しかし、ユーザーが実験室を出た後にアプリケーション識別子によって指示されたアプリケーションタイプに対し有効化操作を再度遂行することを忘れる場合でも、アプリケーション制御情報が所定の制限時間値をさらに含むため、NFC受信側装置はアプリケーション識別子によって指示されたアプリケーションタイプに対し有効化操作を再度遂行できる。
【００８８】
具体的に述べると、NFC受信側装置は第1の時間値を取得し、第1の時間値が所定の制限時間値以上か否かを判断する。
【００８９】
第1の時間値は現在の時間とNFC受信側装置がアプリケーションタイプに遂行された有効化または無効化操作を完了した時間との差である。
【００９０】
尚、本発明の本実施形態で述べる所定の制限時間値は様々なシナリオに応じてユーザーが設定でき、これは本発明において限定されない。
【００９１】
S205．NFC受信側装置は第1の時間値が所定の制限時間値以上か否かを判断する。
【００９２】
S206．第1の時間値が所定の制限時間値以上であり、且つアプリケーション識別子によって指示されたアプリケーションタイプが引き続き無効化された状態にある場合、NFC受信側装置はアプリケーション識別子によって指示されたアプリケーションタイプに対し有効化操作を遂行する。
【００９３】
第1の時間値が所定の制限時間値以上であり、且つアプリケーション識別子によって指示されたアプリケーションタイプが引き続き無効化された状態にある場合、これはステップS203の完了以降に所定の制限時間より長い時間が経過したことを意味し、NFC受信側装置はアプリケーション識別子によって指示されたアプリケーションタイプに対し有効化操作を遂行する。
【００９４】
また、この応用シナリオにおいてステップS204〜S206が任意であることを付け加えておく。NFC受信側装置が所定の制限時間以内にアプリケーション識別子によって指示されたアプリケーションタイプに対し有効化操作を遂行した場合は、ステップS204〜S206を遂行する必要はない。同様に、実際の応用でS204〜S206が遂行されない場合でも、アプリケーション識別子によって指示されたアプリケーションタイプに対し有効化操作を遂行する目的は達成できる。
【００９５】
本発明の本実施形態は近接場通信技術に基づく端末アプリケーション制御方法を提供する。近接場通信（NFC）受信側装置はNFC開始側装置によって送信されたアプリケーション制御情報を受信し、アプリケーション制御情報は、アプリケーションタイプを指示するために使用されるアプリケーション識別子と、有効化または無効化操作を指示するために使用される操作指示とを含み、NFC受信側装置は、アプリケーション制御情報を解析した後に、アプリケーション識別子および操作指示に従って、NFC受信側装置のオペレーティングシステムにある対応するアプリケーションプログラミングインターフェース（API）を呼び出し、アプリケーションタイプに対し有効化または無効化操作を遂行する。
【００９６】
本発明で前述した実施形態の説明によると、NFC受信側装置はNFC開始側装置によって送信されたアプリケーション制御情報を受信でき、アプリケーション制御情報は、アプリケーションタイプを指示するために使用されるアプリケーション識別子と、有効化または無効化操作を指示するために使用される操作指示とを含むため、NFC受信側装置は、アプリケーション制御情報を解析することによって取得されたアプリケーション識別子および操作指示に従って、NFC受信側装置のオペレーティングシステムにある対応するアプリケーションプログラミングインターフェース（API）を呼び出し、アプリケーションタイプに対し有効化または無効化操作を遂行する。また、先行技術のように携帯電話機の電源を切ることをユーザーに要求したり携帯電話機を直接取り上げたりする代わりに、NFC開始側装置の信号到達範囲内にある全てのモバイル端末（すなわち、NFC受信側装置）の特定のアプリケーションに対し有効化（Enable）または無効化（Disable）操作を合理的に遂行できるため、モバイル端末の操作効率は向上する。
【００９７】
実施形態3
本発明のこの実施形態は近接場通信技術に基づく端末アプリケーション制御方法を提供する。図6に示すように、近接場通信技術に基づく端末アプリケーション制御方法は下記ステップを含む。
【００９８】
S301．NFC開始側装置はアプリケーション制御情報を取得し、アプリケーション制御情報は、アプリケーションタイプを指示するために使用されるアプリケーション識別子と、有効化または無効化操作を指示するために使用される操作指示とを含む。
【００９９】
尚、アプリケーション制御情報はNFC開始側管理サーバーからNFC開始側装置へ送信されてよく、あるいはNFC開始側装置によって生成されてよく、これは本発明において限定されない。アプリケーション制御情報は、アプリケーションタイプを指示するために使用されるアプリケーション識別子と、有効化または無効化操作を指示するために使用される操作指示とを含む。
【０１００】
S302．NFC開始側装置は、NFC受信側装置がNFC開始側装置の信号到達範囲内にあると判断したときに、NFC受信側装置へアプリケーション制御情報を送信し、これに応じて、NFC受信側装置は、アプリケーション制御情報を解析し、アプリケーション識別子および操作指示に従って、アプリケーションタイプに対し有効化または無効化操作を遂行する。
【０１０１】
尚、アプリケーション制御情報は、アプリケーションタイプを指示するために使用されるアプリケーション識別子と、有効化または無効化操作を指示するために使用される操作指示とを含む。1つのアプリケーションタイプが複数のアプリケーション識別子に対応してよい。例えば、アプリケーションタイプがno photo/videoなら、アプリケーションタイプに対応するアプリケーション識別子はNFC受信側装置のネイティブカメラの機能識別子を含むほか、NFC受信側装置にインストールされカメラに使用するサードパーティソフトウェアの機能識別子をさらに含む。アプリケーションタイプがno data serviceなら、アプリケーションタイプに対応するアプリケーション識別子はNFC受信側装置のネイティブデータサービスの機能識別子を含むほか、NFC受信側装置にインストールされデータサービスに接続できるサードパーティソフトウェアの機能識別子をさらに含む。
【０１０２】
S303．NFC開始側装置はNFC受信側装置によって送信されたアプリケーション制御完了情報を受信する。
【０１０３】
NFC開始側装置はNFC受信側装置へアプリケーション制御情報を送信した後に、NFC受信側装置によって送信されたアプリケーション制御完了情報をさらに受信できる。
【０１０４】
尚、ステップS303は任意である。NFC受信側装置がアプリケーションタイプに対し有効化または無効化操作を遂行した後にアプリケーション制御完了情報を送信しない場合は、ステップS303は遂行されない。
【０１０５】
具体的に述べると、NFC受信側装置がアプリケーションタイプに対し有効化または無効化操作を遂行するプロセスは前述の実施形態で既に詳述されており、ここでは詳細を説明しない。
【０１０６】
また、アプリケーション制御情報は所定の制限時間値をさらに含む。所定の制限時間値はゼロより大きい期間である。
【０１０７】
本発明の本実施形態は近接場通信技術に基づく端末アプリケーション制御方法を提供する。NFC開始側装置はアプリケーション制御情報を取得し、アプリケーション制御情報は、アプリケーションタイプを指示するために使用されるアプリケーション識別子と、有効化または無効化操作を指示するために使用される操作指示とを含み、NFC開始側装置は、NFC受信側装置へアプリケーション制御情報を送信し、NFC受信側装置は、アプリケーション制御情報を解析した後に、アプリケーション識別子および操作指示に従って、NFC受信側装置のオペレーティングシステムにある対応するアプリケーションプログラミングインターフェース（API）を呼び出し、アプリケーションタイプに対し有効化または無効化操作を遂行する。
【０１０８】
本発明で前述した実施形態の説明によると、NFC受信側装置はNFC開始側装置によって送信されたアプリケーション制御情報を受信でき、アプリケーション制御情報は、アプリケーションタイプを指示するために使用されるアプリケーション識別子と、有効化または無効化操作を指示するために使用される操作指示とを含むため、NFC受信側装置は、アプリケーション制御情報を解析することによって取得されたアプリケーション識別子および操作指示に従って、NFC受信側装置のオペレーティングシステムにある対応するアプリケーションプログラミングインターフェース（API）を呼び出し、アプリケーションタイプに対し有効化または無効化操作を遂行する。また、先行技術のように携帯電話機の電源を切ることをユーザーに要求したり携帯電話機を直接取り上げたりする代わりに、NFC開始側装置の信号到達範囲内にある全てのモバイル端末（すなわち、NFC受信側装置）の特定のアプリケーションに対し有効化（Enable）または無効化（Disable）操作を合理的に遂行できるため、モバイル端末の操作効率は向上する。
【０１０９】
実施形態4
本発明のこの実施形態は近接場通信技術に基づく端末アプリケーション制御方法を提供する。図7に示すように、近接場通信技術に基づく端末アプリケーション制御方法は下記ステップを含む。
【０１１０】
S401．NFC開始側装置はアプリケーション制御情報を取得する。
【０１１１】
アプリケーション制御情報は、アプリケーションタイプを指示するために使用されるアプリケーション識別子と、有効化または無効化操作を指示するために使用される操作指示とを含む。
【０１１２】
尚、アプリケーション制御情報はNFC開始側管理サーバーからNFC開始側装置へ送信されてよく、あるいはNFC開始側装置によって生成されてよく、これは本発明において限定されない。アプリケーション制御情報は、アプリケーションタイプを指示するために使用されるアプリケーション識別子と、有効化または無効化操作を指示するために使用される操作指示とを含む。
【０１１３】
S402．NFC開始側装置は、NFC受信側装置がNFC開始側装置の信号到達範囲内にあると判断したときに、NFC受信側装置へアプリケーション制御情報を送信し、これに応じて、NFC受信側装置は、アプリケーション制御情報を解析し、アプリケーション識別子および操作指示に従って、アプリケーションタイプに対し有効化または無効化操作を遂行する。
【０１１４】
S403．NFC受信側装置はNFC開始側装置の信号到達範囲内でNFC開始側装置によって送信されたアプリケーション制御情報を受信する。
【０１１５】
アプリケーション制御情報は、アプリケーションタイプを指示するために使用されるアプリケーション識別子と、有効化または無効化操作を指示するために使用される操作指示とを含む。1つのアプリケーションタイプが複数のアプリケーション識別子に対応してよい。例えば、アプリケーションタイプがno photo/videoなら、アプリケーションタイプに対応するアプリケーション識別子はNFC受信側装置のネイティブカメラの機能識別子を含むほか、NFC受信側装置にインストールされカメラに使用するサードパーティソフトウェアの機能識別子をさらに含む。アプリケーションタイプがno data serviceなら、アプリケーションタイプに対応するアプリケーション識別子はNFC受信側装置のネイティブデータサービスの機能識別子を含むほか、NFC受信側装置にインストールされデータサービスに接続できるサードパーティソフトウェアの機能識別子をさらに含む。
【０１１６】
S404a．NFC受信側装置はアプリケーション制御情報を解析し、アプリケーション識別子に従い、アプリケーション識別子によって指示されたアプリケーションタイプに対応しNFC受信側装置のオペレーティングシステムにあるAPIを検索する。
【０１１７】
NFC受信側装置はアプリケーション制御情報を解析し、アプリケーションタイプを指示するために使用されるアプリケーション識別子と、有効化または無効化操作を指示するために使用される操作指示とを取得する。NFC受信側装置は、アプリケーション識別子に従い、アプリケーション識別子によって指示されたアプリケーションタイプに対応しNFC受信側装置のオペレーティングシステムにあるAPIを検索する。
【０１１８】
尚、1つのアプリケーションタイプは1つのAPIに対応しているため、1つのAPIは複数のアプリケーション識別子に対応してよい。例えば、アプリケーションタイプがno photo/videoなら、アプリケーションタイプに対応するアプリケーション識別子はNFC受信側装置のネイティブカメラの機能識別子を含むほか、NFC受信側装置にインストールされカメラに使用するサードパーティソフトウェアの機能識別子をさらに含む。これらのアプリケーション識別子はいずれも1つのAPIを共用し、APIはNFC受信側装置のシステムアーキテクチャでフレームワーク層（Framework Layer）に位置する。
【０１１９】
S404b．NFC受信側装置は、操作指示が有効化操作を指示する場合に、NFC受信側装置でアプリケーション識別子によって指示されたアプリケーションタイプに対し有効化操作を遂行するよう、フレームワーク層にあるAPIを有効化し、またはNFC受信側装置は、操作指示が無効化操作を指示する場合に、NFC受信側装置でアプリケーション識別子によって指示されたアプリケーションタイプに対し無効化操作を遂行するよう、フレームワーク層にあるAPIを無効化する。
【０１２０】
具体的に述べると、NFC受信側装置は、操作指示が有効化操作を指示する場合に、NFC受信側装置でアプリケーション識別子によって指示されたアプリケーションタイプに対し有効化操作を遂行するよう、操作指示によって指示された有効化操作に従って、フレームワーク層にあるAPIを有効化し、またはNFC受信側装置は、操作指示が無効化操作を指示する場合に、NFC受信側装置でアプリケーション識別子によって指示されたアプリケーションタイプに対し無効化操作を遂行するよう、操作指示によって指示された無効化操作に従って、フレームワーク層にあるAPIを無効化する。
【０１２１】
尚、APIはフレームワーク層で有効化または無効化されるため、アプリケーション層にあるアプリケーションのためにフレームワーク層にあるAPIを呼び出すことはできなくなり、ユーザーはそれ以上アプリケーションを手作業で操作できなくなる。ここで、アプリケーションはAPIを呼び出す必要がある全てのアプリケーションを指す。
【０１２２】
S404c．NFC受信側装置はアプリケーション制御情報を解析し、アプリケーション識別子に従い、アプリケーション識別子によって指示されたアプリケーションタイプに対応しNFC受信側装置のオペレーティングシステムにあるAPIを検索する。
【０１２３】
NFC受信側装置はアプリケーション制御情報を解析し、アプリケーションタイプを指示するために使用されるアプリケーション識別子と、有効化または無効化操作を指示するために使用される操作指示とを取得する。NFC受信側装置は、アプリケーション識別子に従い、アプリケーション識別子によって指示されたアプリケーションタイプに対応しNFC受信側装置のオペレーティングシステムにあるAPIを検索する。
【０１２４】
尚、1つのアプリケーションタイプは1つのAPIに対応しているため、1つのAPIは複数のアプリケーション識別子に対応してよい。例えば、アプリケーションタイプがno photo/videoなら、アプリケーションタイプに対応するアプリケーション識別子はNFC受信側装置のネイティブカメラの機能識別子を含むほか、NFC受信側装置にインストールされカメラに使用するサードパーティソフトウェアの機能識別子をさらに含む。これらのアプリケーション識別子はいずれも1つのAPIを共用し、APIはNFC受信側装置のシステムアーキテクチャでフレームワーク層（Framework Layer）に位置する。
【０１２５】
S404d．NFC受信側装置はNFC受信側装置のオペレーティングシステムにある対応するアプリケーションプログラミングインターフェース（API）を呼び出し、アプリケーション層にあるアプリケーションタイプに対し有効化または無効化操作を遂行する。
【０１２６】
具体的に述べると、NFC受信側装置は、操作指示によって指示された有効化または無効化操作に従って、NFC受信側装置のオペレーティングシステムにある対応するアプリケーションプログラミングインターフェース（API）を呼び出し、アプリケーション層にあるアプリケーションタイプに対し有効化または無効化操作を遂行する。
【０１２７】
尚、有効化または無効化操作はアプリケーション層にあるアプリケーションタイプに対して遂行されるため、アプリケーション層にあるアプリケーションのためにフレームワーク層にあるAPIを呼ぶ出すことは引き続き可能であり、ユーザーはアプリケーションを手作業で操作できる。ここで、アプリケーションはAPIを呼び出す必要がある全てのアプリケーションを指す。
【０１２８】
S405．NFC受信側装置はNFC開始側装置へアプリケーション制御完了情報を送信する。
【０１２９】
S406．NFC開始側装置はNFC受信側装置によって送信されたアプリケーション制御完了情報を受信する。
【０１３０】
NFC開始側装置はNFC受信側装置へアプリケーション制御情報を送信した後に、NFC受信側装置によって送信されたアプリケーション制御完了情報をさらに受信できる。
【０１３１】
S407．NFC受信側装置は第1の時間値を取得する。
【０１３２】
第1の時間値は現在の時間とNFC受信側装置がアプリケーションタイプに遂行された有効化または無効化操作を完了した時間との差である。
【０１３３】
アプリケーション制御情報は所定の制限時間値をさらに含む。
【０１３４】
S408．NFC受信側装置は第1の時間値が所定の制限時間値以上か否かを判断する。
【０１３５】
具体的に述べると、NFC受信側装置は第1の時間値を取得し、第1の時間値が所定の制限時間値以上か否かを判断する。
【０１３６】
第1の時間値は現在の時間とNFC受信側装置がアプリケーションタイプに遂行された有効化または無効化操作を完了した時間との差である。
【０１３７】
尚、本発明の本実施形態で述べる所定の制限時間値は様々なシナリオに応じてユーザーが設定でき、これは本発明において限定されない。
【０１３８】
S409．第1の時間値が所定の制限時間値以上であり、且つアプリケーション識別子によって指示されたアプリケーションタイプが引き続き無効化された状態にある場合、NFC受信側装置はアプリケーション識別子によって指示されたアプリケーションタイプに対し有効化操作を遂行する。
【０１３９】
第1の時間値が所定の制限時間値以上であり、且つアプリケーション識別子によって指示されたアプリケーションタイプが引き続き無効化された状態にある場合、これはステップS405の完了以降に所定の制限時間より長い時間が経過したことを意味し、NFC受信側装置はアプリケーション識別子によって指示されたアプリケーションタイプに対し有効化操作を遂行する。
【０１４０】
また、この応用シナリオにおいてステップS407〜S409が任意であることを付け加えておく。NFC受信側装置が所定の制限時間値以内にアプリケーション識別子によって指示されたアプリケーションタイプに対し有効化操作を遂行した場合は、ステップS407〜S409を遂行する必要はない。同様に、実際の応用でS407〜S409が遂行されない場合でも、アプリケーション識別子によって指示されたアプリケーションタイプに対し有効化操作を遂行する目的は達成できる。
【０１４１】
本発明で前述した実施形態の説明によると、NFC受信側装置はNFC開始側装置によって送信されたアプリケーション制御情報を受信でき、アプリケーション制御情報は、アプリケーションタイプを指示するために使用されるアプリケーション識別子と、有効化または無効化操作を指示するために使用される操作指示とを含むため、NFC受信側装置は、アプリケーション制御情報を解析することによって取得されたアプリケーション識別子および操作指示に従って、NFC受信側装置のオペレーティングシステムにある対応するアプリケーションプログラミングインターフェース（API）を呼び出し、アプリケーションタイプに対し有効化または無効化操作を遂行する。また、先行技術のように携帯電話機の電源を切ることをユーザーに要求したり携帯電話機を直接取り上げたりする代わりに、NFC開始側装置の信号到達範囲内にある全てのモバイル端末（すなわち、NFC受信側装置）の特定のアプリケーションに対し有効化（Enable）または無効化（Disable）操作を合理的に遂行できるため、モバイル端末の操作効率は向上する。
【０１４２】
実施形態5
当業者による本発明の技術的解決手段の理解を助けるため、これ以降は以下に記す具体例を用いて本発明の解決手段を説明する。
【０１４３】
本発明のこの実施形態におけるNFC受信側装置は携帯電話機やタブレットコンピュータ等の電子装置であってよい。これ以降は一例として携帯電話機を取り上げ、数通りの応用シナリオで解決手段の実装様態を説明する。
【０１４４】
応用シナリオ1
ユーザーは航空機に乗るときに携帯電話機のデータ通信機能を無効化する必要がある。本発明の実施形態で提供される解決手段は次の通りに応用される。NFC開始側装置はNFC開始側管理サーバーからNFC開始側装置へ送信されたアプリケーション制御情報を受信し、またはNFC開始側装置はアプリケーション制御情報を生成し、アプリケーション制御情報は、アプリケーションタイプを指示するために使用されるアプリケーション識別子と、有効化または無効化操作を指示するために使用される操作指示とを含む。すなわち、データ通信機能を指示するために使用されるアプリケーション識別子と、無効化操作を指示するために使用される操作指示とを含む。ユーザーが航空機に搭乗すると携帯電話機はNFC開始側装置の信号到達範囲に入り、NFC開始側装置によって送信されたアプリケーション制御情報を受信する。
【０１４５】
携帯電話機はアプリケーション制御情報を解析し、NFCサービスのためのAPIを開き、アプリケーション識別子によって指示されたアプリケーションタイプに対応し携帯電話機のオペレーティングシステムにあるAPIを、すなわちデータ通信機能に対応するAPIを、検索する。携帯電話機は、アプリケーション識別子および操作指示に従って、携帯電話機のオペレーティングシステムにある対応するアプリケーションプログラミングインターフェース（API）を呼び出し、アプリケーションタイプに対し無効化操作を遂行し、携帯電話機のデータ通信機能を無効化し、NFC開始側装置へアプリケーション制御完了情報を送信する。ここで述べるアプリケーションタイプに対し無効化操作を遂行するステップは、フレームワーク層にあるAPIを無効化するステップであってよく、あるいはアプリケーション層にあるアプリケーションタイプに対し無効化操作を遂行するステップであってよい。
【０１４６】
ユーザーが空港を去るため航空機から降りるときに携帯電話機は再びNFC開始側装置の信号到達範囲に入り、NFC開始側装置によって送信されたアプリケーション制御情報を受信する。この場合のアプリケーション制御情報は、データ通信機能を指示するために使用されるアプリケーション識別子と、有効化操作を指示するために使用される操作指示とを含む。携帯電話機はアプリケーション制御情報を解析し、NFCサービスのためのAPIを開き、アプリケーション識別子によって指示されたアプリケーションタイプに対応し携帯電話機のオペレーティングシステムにあるAPIを、すなわちデータ通信機能に対応するAPIを、検索する。携帯電話機は、アプリケーション識別子および操作指示に従って、携帯電話機のオペレーティングシステムにある対応するアプリケーションプログラミングインターフェース（API）を呼び出し、アプリケーションタイプに対し有効化操作を遂行し、携帯電話機のデータ通信機能を有効化し、NFC開始側装置へアプリケーション制御完了情報を送信する。
【０１４７】
ユーザーが空港を去るときにNFC開始側装置の信号到達範囲に入らず、その結果携帯電話機が携帯電話機のデータ通信機能を元通り有効化しない場合、携帯電話機は第1の時間値を取得し、第1の時間値が所定の制限時間値以上か否かを判断する。例えば第1の時間値は25時間であり、所定の制限時間値は24時間である。この場合、携帯電話機はアプリケーション識別子によって指示されたアプリケーションタイプに対し有効化操作を遂行し、携帯電話機のデータ通信機能を元通り有効化する。
【０１４８】
応用シナリオ2
ユーザーは会議に出席する際に、携帯電話機をバイブレーションかサイレンスに調整する必要がある。すなわち、携帯電話機の鳴り機能を無効化する必要がある。本発明の実施形態で提供される解決手段は次の通りに応用される。NFC開始側装置はNFC開始側管理サーバーからNFC開始側装置へ送信されたアプリケーション制御情報を受信し、またはNFC開始側装置はアプリケーション制御情報を生成し、アプリケーション制御情報は、アプリケーションタイプを指示するために使用されるアプリケーション識別子と、有効化または無効化操作を指示するために使用される操作指示とを含む。すなわち、鳴り機能を指示するために使用されるアプリケーション識別子と、無効化操作を指示するために使用される操作指示とを含む。ユーザーが会議室に入ると携帯電話機はNFC開始側装置の信号到達範囲に入り、NFC開始側装置によって送信されたアプリケーション制御情報を受信する。
【０１４９】
携帯電話機はアプリケーション制御情報を解析し、NFCサービスのためのAPIを開き、アプリケーション識別子によって指示されたアプリケーションタイプに対応し携帯電話機のオペレーティングシステムにあるAPIを、すなわち鳴り機能に対応するAPIを、検索する。携帯電話機は、アプリケーション識別子および操作指示に従って、携帯電話機のオペレーティングシステムにある対応するアプリケーションプログラミングインターフェース（API）を呼び出し、アプリケーションタイプに対し無効化操作を遂行し、携帯電話機の鳴り機能を無効化し、NFC開始側装置へアプリケーション制御完了情報を送信する。ここで述べるアプリケーションタイプに対し無効化操作を遂行するステップは、フレームワーク層にあるAPIを無効化するステップであってよく、あるいはアプリケーション層にあるアプリケーションタイプに対し無効化操作を遂行するステップであってよい。
【０１５０】
ユーザーが会議室を去るときに携帯電話機は再びNFC開始側装置の到達範囲に入り、NFC開始側装置によって送信されたアプリケーション制御情報を受信する。この場合のアプリケーション制御情報は、鳴り機能を指示するために使用されるアプリケーション識別子と、有効化操作を指示するために使用される操作指示とを含む。携帯電話機はアプリケーション制御情報を解析し、NFCサービスのためのAPIを開き、アプリケーション識別子によって指示されたアプリケーションタイプに対応し携帯電話機のオペレーティングシステムにあるAPIを、すなわち鳴り機能に対応するAPIを、検索する。携帯電話機は、アプリケーション識別子および操作指示に従って、携帯電話機のオペレーティングシステムにある対応するアプリケーションプログラミングインターフェース（API）を呼び出し、アプリケーションタイプに対し有効化操作を遂行し、携帯電話機の鳴り機能を有効化し、NFC開始側装置へアプリケーション制御完了情報を送信する。
【０１５１】
ユーザーが会議室を去るときにNFC開始側装置の信号到達範囲に入らず、その結果携帯電話機が携帯電話機のデータ通信機能を元通り有効化しない場合、携帯電話機は第1の時間値を取得し、第1の時間値が所定の制限時間値以上か否かを判断する。例えば第1の時間値は2．5時間であり、所定の制限時間値は2時間である。この場合、携帯電話機はアプリケーション識別子によって指示されたアプリケーションタイプに対し有効化操作を遂行し、携帯電話機の鳴り機能を元通り有効化する。
【０１５２】
応用シナリオ3
ユーザーは守秘義務がある場所（例えば全国鍵科学研究所）に入る際に携帯電話機のカメラ機能を無効化する必要がある。本発明の実施形態で提供される解決手段は次の通りに応用される。NFC開始側装置はNFC開始側管理サーバーからNFC開始側装置へ送信されたアプリケーション制御情報を受信し、またはNFC開始側装置はアプリケーション制御情報を生成し、アプリケーション制御情報は、アプリケーションタイプを指示するために使用されるアプリケーション識別子と、有効化または無効化操作を指示するために使用される操作指示とを含む。すなわち、カメラ機能を指示するために使用されるアプリケーション識別子と、無効化操作を指示するために使用される操作指示とを含む。ユーザーがそのような場所に入ると携帯電話機はNFC開始側装置の信号到達範囲に入り、NFC開始側装置によって送信されたアプリケーション制御情報を受信する。
【０１５３】
携帯電話機はアプリケーション制御情報を解析し、NFCサービスのためのAPIを開き、アプリケーション識別子によって指示されたアプリケーションタイプに対応し携帯電話機のオペレーティングシステムにあるAPIを、すなわちカメラ機能に対応するAPIを、検索する。携帯電話機は、アプリケーション識別子および操作指示に従って、携帯電話機のオペレーティングシステムにある対応するアプリケーションプログラミングインターフェース（API）を呼び出し、アプリケーションタイプに対し無効化操作を遂行し、携帯電話機のカメラ機能を無効化し、NFC開始側装置へアプリケーション制御完了情報を送信する。ここで述べる、アプリケーション識別子によって指示されたアプリケーションタイプに対し操作指示によって指示された無効化操作を遂行するステップは、フレームワーク層にあるAPIを無効化するステップであってよく、あるいはアプリケーション層にあるアプリケーションタイプに対し無効化操作を遂行するステップであってよい。
【０１５４】
ユーザーがその場所を去るときに携帯電話機は再びNFC開始側装置の信号到達範囲に入り、NFC開始側装置によって送信されたアプリケーション制御情報を受信する。この場合のアプリケーション制御情報は、カメラ機能を指示するために使用されるアプリケーション識別子と、有効化操作を指示するために使用される操作指示とを含む。携帯電話機はアプリケーション制御情報を解析し、NFCサービスのためのAPIを開き、アプリケーション識別子によって指示されたアプリケーションタイプに対応し携帯電話機のオペレーティングシステムにあるAPIを、すなわちカメラ機能に対応するAPIを、検索する。携帯電話機は、アプリケーション識別子および操作指示に従って、携帯電話機のオペレーティングシステムにある対応するアプリケーションプログラミングインターフェース（API）を呼び出し、アプリケーションタイプに対し有効化操作を遂行し、携帯電話機のカメラ機能を有効化し、NFC開始側装置へアプリケーション制御完了情報を送信する。
【０１５５】
ユーザーがその場所を去るときにNFC開始側装置の信号到達範囲に入らず、その結果携帯電話機が携帯電話機のカメラ機能を元通り有効化しない場合、携帯電話機は第1の時間値を取得し、第1の時間値が所定の制限時間値以上か否かを判断する。例えば第1の時間値は5時間であり、所定の制限時間値は3時間である。この場合、携帯電話機はアプリケーション識別子によって指示されたアプリケーションタイプに対し有効化操作を遂行し、携帯電話機のカメラ機能を元通り有効化する。
【０１５６】
尚、NFC受信側装置がNFC開始側装置の信号到達範囲に入った後にNFC開始側装置によって送信されてNFC受信側装置によって受信されるアプリケーション制御情報（例えばアプリケーション機能の無効化、またはアプリケーション機能の有効化）は、同じNFC開始側装置によって送信されてよく、あるいは異なるNFC開始側装置によって送信されてよく、これは本発明において限定されない。
【０１５７】
本発明の実施形態で提供される近接場通信技術に基づく端末アプリケーション制御方法は前述した3つの応用シナリオに応用できるが、前述した3つの応用シナリオに限定されず、守秘要件やセキュリティ要件等がある数多くの特別な状況にも応用でき、これが本発明において限定されないことを付け加えておく。
【０１５８】
尚、NFC受信側装置とNFC開始側装置が協定を結ぶことができる場合、NFC受信側装置とNFC開始側装置は様々なアプリケーションタイプに対しセキュリティ分類を設定でき、セキュリティ分類を変えながらアプリケーションタイプに対し有効化または無効化操作が遂行される。
【０１５９】
実施形態6
本発明のこの実施形態はNFC受信側装置を提供する。図8に示すように、NFC受信側装置は受信モジュール10と実行モジュール11とを含む。
【０１６０】
受信モジュール10はNFC開始側装置の信号到達範囲内でNFC開始側装置によって送信されたアプリケーション制御情報を受信するように構成され、アプリケーション制御情報は、アプリケーションタイプを指示するために使用されるアプリケーション識別子と、有効化または無効化操作を指示するために使用される操作指示とを含む。
【０１６１】
実行モジュール11は、アプリケーション制御情報を解析し、アプリケーション識別子および操作指示に従って、アプリケーションタイプに対し有効化または無効化操作を遂行するように構成される。
【０１６２】
さらに、実行モジュール11は、アプリケーション識別子および操作指示に従って、NFC受信側装置のオペレーティングシステムにある対応するアプリケーションプログラミングインターフェース（API）を呼び出し、アプリケーションタイプに対し有効化または無効化操作を遂行するように具体的に構成される。図9に示すように、実行モジュール11は、
アプリケーション制御情報を解析するように構成された解析モジュール110と、
解析モジュール110がアプリケーション制御情報を解析した後に、アプリケーション識別子に従い、アプリケーション識別子によって指示されたアプリケーションタイプに対応しNFC受信側装置のオペレーティングシステムにあるAPIを検索するように構成された検索モジュール111と、
操作指示が有効化操作を指示する場合に、NFC受信側装置でアプリケーション識別子によって指示されたアプリケーションタイプに対し有効化操作を遂行するよう、フレームワーク層にあるAPIを有効化し、または操作指示が無効化操作を指示する場合に、NFC受信側装置でアプリケーション識別子によって指示されたアプリケーションタイプに対し無効化操作を遂行するよう、フレームワーク層にあるAPIを無効化するように構成された制御モジュール112とを具体的に含む。
【０１６３】
さらに、実行モジュール11は、
アプリケーション制御情報を解析するように構成された解析モジュール110と、
解析モジュール110がアプリケーション制御情報を解析した後に、アプリケーション識別子に従い、アプリケーション識別子によって指示されたアプリケーションタイプに対応しNFC受信側装置のオペレーティングシステムにあるAPIを検索するように構成された検索モジュール111と、
NFC受信側装置のオペレーティングシステムにある対応するアプリケーションプログラミングインターフェース（API）を呼び出し、アプリケーション層にあるアプリケーションタイプに対し有効化または無効化操作を遂行するように構成された制御モジュール112とを具体的に含む。
【０１６４】
さらに、図10に示すように、NFC受信側装置は、
実行モジュール11がアプリケーションタイプに対し有効化または無効化操作を遂行した後にNFC開始側装置へアプリケーション制御完了情報を送信するように構成された送信モジュール12であって、アプリケーション制御完了情報は、NFC受信側装置がアプリケーションタイプに遂行された有効化または無効化操作を完了したことを示すために使用される、送信モジュール12をさらに含む。
【０１６５】
さらに、アプリケーション制御情報は所定の制限時間値をさらに含む。
【０１６６】
図11に示すように、NFC受信側装置は、
実行モジュール11がアプリケーションタイプに対し有効化または無効化操作を遂行した後に第1の時間値を取得するように構成された取得モジュール13であって、第1の時間値は現在の時間と実行モジュール11がアプリケーションタイプに遂行された有効化または無効化操作を完了した時間との差である、取得モジュール13と、
第1の時間値が所定の制限時間値以上か否かを判断するように構成された判断モジュール14とをさらに含む。
【０１６７】
実行モジュール11は、第1の時間値が所定の制限時間値以上であり、且つアプリケーション識別子によって指示されたアプリケーションタイプが引き続き無効化された状態にある場合に、アプリケーション識別子によって指示されたアプリケーションタイプに対し有効化操作を遂行するようにさらに構成される。
【０１６８】
本発明の本実施形態はNFC受信側装置を提供し、NFC受信側装置は、NFC開始側装置によって送信されたアプリケーション制御情報を受信するように構成された受信モジュールであって、アプリケーション制御情報は、アプリケーションタイプを指示するために使用されるアプリケーション識別子と、有効化または無効化操作を指示するために使用される操作指示とを含む、受信モジュールと、アプリケーション制御情報を解析し、アプリケーション制御情報を解析した後に、アプリケーション識別子および操作指示に従って、NFC受信側装置のオペレーティングシステムにある対応するアプリケーションプログラミングインターフェース（API）を呼び出し、アプリケーションタイプに対し有効化または無効化操作を遂行するように構成された実行モジュールとを含む。
【０１６９】
本発明で前述した実施形態の説明によると、NFC受信側装置はNFC開始側装置によって送信されたアプリケーション制御情報を受信でき、アプリケーション制御情報は、アプリケーションタイプを指示するために使用されるアプリケーション識別子と、有効化または無効化操作を指示するために使用される操作指示とを含むため、NFC受信側装置は、アプリケーション制御情報を解析することによって取得されたアプリケーション識別子および操作指示に従って、NFC受信側装置のオペレーティングシステムにある対応するアプリケーションプログラミングインターフェース（API）を呼び出し、アプリケーションタイプに対し有効化または無効化操作を遂行する。また、先行技術のように携帯電話機の電源を切ることをユーザーに要求したり携帯電話機を直接取り上げたりする代わりに、NFC開始側装置の信号到達範囲内にある全てのモバイル端末（すなわち、NFC受信側装置）の特定のアプリケーションに対し有効化（Enable）または無効化（Disable）操作を合理的に遂行できるため、モバイル端末の操作効率は向上する。
【０１７０】
実施形態7
本発明のこの実施形態はNFC開始側装置を提供する。図12に示すように、NFC開始側装置は取得モジュール20と送信モジュール21とを含む。
【０１７１】
取得モジュール20はアプリケーション制御情報を取得するように構成され、アプリケーション制御情報は、アプリケーションタイプを指示するために使用されるアプリケーション識別子と、有効化または無効化操作を指示するために使用される操作指示とを含む。
【０１７２】
送信モジュール21は、NFC受信側装置がNFC開始側装置の信号到達範囲内にあると判断したときに、NFC受信側装置へアプリケーション制御情報を送信するように構成され、これに応じて、NFC受信側装置は、アプリケーション制御情報を解析し、アプリケーション識別子および操作指示に従って、アプリケーションタイプに対し有効化または無効化操作を遂行する。
【０１７３】
さらに、図13に示すように、NFC開始側装置は、
送信モジュール21がNFC受信側装置へアプリケーション制御情報を送信した後に、NFC受信側装置によって送信されたアプリケーション制御完了情報を受信するように構成された受信モジュール22であって、アプリケーション制御完了情報は、NFC受信側装置がアプリケーションタイプに遂行された有効化または無効化操作を完了したことを示すために使用される、受信モジュール22をさらに含む。
【０１７４】
さらに、アプリケーション制御情報は所定の制限時間値をさらに含む。
【０１７５】
本発明の本実施形態はNFC開始側装置を提供し、NFC開始側装置は、アプリケーション制御情報を取得するように構成された取得モジュールであって、アプリケーション制御情報は、アプリケーションタイプを指示するために使用されるアプリケーション識別子と、有効化または無効化操作を指示するために使用される操作指示とを含む、取得モジュールと、NFC受信側装置へアプリケーション制御情報を送信するように構成された送信モジュールとを含み、NFC受信側装置は、アプリケーション制御情報を解析した後に、アプリケーション識別子および操作指示に従って、NFC受信側装置のオペレーティングシステムにある対応するアプリケーションプログラミングインターフェース（API）を呼び出し、アプリケーションタイプに対し有効化または無効化操作を遂行する。
【０１７６】
本発明で前述した実施形態の説明によると、NFC受信側装置はNFC開始側装置によって送信されたアプリケーション制御情報を受信でき、アプリケーション制御情報は、アプリケーションタイプを指示するために使用されるアプリケーション識別子と、有効化または無効化操作を指示するために使用される操作指示とを含むため、NFC受信側装置は、アプリケーション制御情報を解析することによって取得されたアプリケーション識別子および操作指示に従って、NFC受信側装置のオペレーティングシステムにある対応するアプリケーションプログラミングインターフェース（API）を呼び出し、アプリケーションタイプに対し有効化または無効化操作を遂行する。また、先行技術のように携帯電話機の電源を切ることをユーザーに要求したり携帯電話機を直接取り上げたりする代わりに、NFC開始側装置の信号到達範囲内にある全てのモバイル端末（すなわち、NFC受信側装置）の特定のアプリケーションに対し有効化（Enable）または無効化（Disable）操作を合理的に遂行できるため、モバイル端末の操作効率は向上する。
【０１７７】
実施形態8
本発明のこの実施形態はNFC受信側装置を提供する。図14に示すように、NFC受信側装置は受信器30と処理器31とを含む。
【０１７８】
受信器30はNFC開始側装置の信号到達範囲内でNFC開始側装置によって送信されたアプリケーション制御情報を受信するように構成され、アプリケーション制御情報は、アプリケーションタイプを指示するために使用されるアプリケーション識別子と、有効化または無効化操作を指示するために使用される操作指示とを含む。
【０１７９】
処理器31は、アプリケーション制御情報を解析し、アプリケーション識別子および操作指示に従って、アプリケーションタイプに対し有効化または無効化操作を遂行するように構成される。
【０１８０】
さらに、処理器31は、アプリケーション制御情報を解析し、処理器31がアプリケーション制御情報を解析した後に、アプリケーション識別子に従い、アプリケーション識別子によって指示されたアプリケーションタイプに対応しNFC受信側装置のオペレーティングシステムにあるAPIを検索し、操作指示が有効化操作を指示する場合に、NFC受信側装置でアプリケーション識別子によって指示されたアプリケーションタイプに対し有効化操作を遂行するよう、フレームワーク層にあるAPIを有効化し、または操作指示が無効化操作を指示する場合に、NFC受信側装置でアプリケーション識別子によって指示されたアプリケーションタイプに対し無効化操作を遂行するよう、フレームワーク層にあるAPIを無効化するように具体的に構成される。
【０１８１】
さらに、処理器31は、アプリケーション制御情報を解析し、処理器31がアプリケーション制御情報を解析した後に、アプリケーション識別子に従い、アプリケーション識別子によって指示されたアプリケーションタイプに対応しNFC受信側装置のオペレーティングシステムにあるAPIを検索し、NFC受信側装置のオペレーティングシステムにある対応するアプリケーションプログラミングインターフェース（API）を呼び出し、アプリケーション層にあるアプリケーションタイプに対し有効化または無効化操作を遂行するように具体的に構成される。
【０１８２】
さらに、図15に示すように、NFC受信側装置は、
処理器31がアプリケーションタイプに対し有効化または無効化操作を遂行した後にNFC開始側装置へアプリケーション制御完了情報を送信するように構成された送信器32をさらに含む。
【０１８３】
さらに、アプリケーション制御情報は所定の制限時間値をさらに含む。
【０１８４】
受信器30は、処理器31がアプリケーションタイプに対し有効化または無効化操作を遂行した後に第1の時間値を取得するようにさらに構成され、第1の時間値は現在の時間と処理器31がアプリケーションタイプに遂行された有効化または無効化操作を完了した時間との差である。
【０１８５】
処理器31は、第1の時間値が所定の制限時間値以上か否かを判断し、第1の時間値が所定の制限時間値以上であり、且つアプリケーション識別子によって指示されたアプリケーションタイプが引き続き無効化された状態にある場合に、アプリケーション識別子によって指示されたアプリケーションタイプに対し有効化操作を遂行するようにさらに構成される。
【０１８６】
本発明の本実施形態はNFC受信側装置を提供し、NFC受信側装置は、NFC開始側装置によって送信されたアプリケーション制御情報を受信するように構成された受信器であって、アプリケーション制御情報は、アプリケーションタイプを指示するために使用されるアプリケーション識別子と、有効化または無効化操作を指示するために使用される操作指示とを含む、受信器と、アプリケーション制御情報を解析し、アプリケーション制御情報を解析した後に、アプリケーション識別子および操作指示に従って、NFC受信側装置のオペレーティングシステムにある対応するアプリケーションプログラミングインターフェース（API）を呼び出し、アプリケーションタイプに対し有効化または無効化操作を遂行するように構成された処理器とを含む。
【０１８７】
本発明で前述した実施形態の説明によると、NFC受信側装置はNFC開始側装置によって送信されたアプリケーション制御情報を受信でき、アプリケーション制御情報は、アプリケーションタイプを指示するために使用されるアプリケーション識別子と、有効化または無効化操作を指示するために使用される操作指示とを含むため、NFC受信側装置は、アプリケーション制御情報を解析することによって取得されたアプリケーション識別子および操作指示に従って、NFC受信側装置のオペレーティングシステムにある対応するアプリケーションプログラミングインターフェース（API）を呼び出し、アプリケーションタイプに対し有効化または無効化操作を遂行する。また、先行技術のように携帯電話機の電源を切ることをユーザーに要求したり携帯電話機を直接取り上げたりする代わりに、NFC開始側装置の信号到達範囲内にある全てのモバイル端末（すなわち、NFC受信側装置）の特定のアプリケーションに対し有効化（Enable）または無効化（Disable）操作を合理的に遂行できるため、モバイル端末の操作効率は向上する。
【０１８８】
実施形態9
本発明のこの実施形態はNFC開始側装置を提供する。図16に示すように、NFC開始側装置は受信器40と送信器41とを含む。
【０１８９】
受信器40はアプリケーション制御情報を取得するように構成され、アプリケーション制御情報は、アプリケーションタイプを指示するために使用されるアプリケーション識別子と、有効化または無効化操作を指示するために使用される操作指示とを含む。
【０１９０】
送信器41は、NFC受信側装置がNFC開始側装置の信号到達範囲内にあると判断したときにNFC受信側装置へアプリケーション制御情報を送信するように構成され、これに応じて、NFC受信側装置は、アプリケーション制御情報を解析し、アプリケーション識別子および操作指示に従って、アプリケーションタイプに対し有効化または無効化操作を遂行する。
【０１９１】
さらに、受信器40は、送信器41がNFC受信側装置へアプリケーション制御情報を送信した後に、NFC受信側装置によって送信されたアプリケーション制御完了情報を受信するようにさらに構成され、アプリケーション制御完了情報は、NFC受信側装置がアプリケーションタイプに遂行された有効化または無効化操作を完了したことを示すために使用される。
【０１９２】
さらに、アプリケーション制御情報は所定の制限時間値をさらに含む。
【０１９３】
本発明の本実施形態はNFC開始側装置を提供し、NFC開始側装置は、アプリケーション制御情報を取得するように構成された受信器であって、アプリケーション制御情報は、アプリケーションタイプを指示するために使用されるアプリケーション識別子と、有効化または無効化操作を指示するために使用される操作指示とを含む、受信器と、NFC受信側装置へアプリケーション制御情報を送信するように構成された送信器とを含み、NFC受信側装置は、アプリケーション制御情報を解析した後に、アプリケーション識別子および操作指示に従って、NFC受信側装置のオペレーティングシステムにある対応するアプリケーションプログラミングインターフェース（API）を呼び出し、アプリケーションタイプに対し有効化または無効化操作を遂行する。
【０１９４】
本発明で前述した実施形態の説明によると、NFC受信側装置はNFC開始側装置によって送信されたアプリケーション制御情報を受信でき、アプリケーション制御情報は、アプリケーションタイプを指示するために使用されるアプリケーション識別子と、有効化または無効化操作を指示するために使用される操作指示とを含むため、NFC受信側装置は、アプリケーション制御情報を解析することによって取得されたアプリケーション識別子および操作指示に従って、NFC受信側装置のオペレーティングシステムにある対応するアプリケーションプログラミングインターフェース（API）を呼び出し、アプリケーションタイプに対し有効化または無効化操作を遂行する。また、先行技術のように携帯電話機の電源を切ることをユーザーに要求したり携帯電話機を直接取り上げたりする代わりに、NFC開始側装置の信号到達範囲内にある全てのモバイル端末（すなわち、NFC受信側装置）の特定のアプリケーションに対し有効化（Enable）または無効化（Disable）操作を合理的に遂行できるため、モバイル端末の操作効率は向上する。
【０１９５】
実施形態10
本発明のこの実施形態は、実施形態6で説明したNFC受信側装置と実施形態7で説明したNFC開始側装置とを含む、近接場通信技術に基づく端末アプリケーション制御システムを提供する。
【０１９６】
具体的に述べると、本発明の本実施形態で提供される近接場通信技術に基づく端末アプリケーション制御システムでは1台のNFC開始側装置が複数台のNFC受信側装置と同時にやり取りでき、図17には本システムのネットワーク様態が図示されている。
【０１９７】
本発明で前述した実施形態の説明によると、NFC受信側装置はNFC開始側装置によって送信されたアプリケーション制御情報を受信でき、アプリケーション制御情報は、アプリケーションタイプを指示するために使用されるアプリケーション識別子と、有効化または無効化操作を指示するために使用される操作指示とを含むため、NFC受信側装置は、アプリケーション制御情報を解析することによって取得されたアプリケーション識別子および操作指示に従って、NFC受信側装置のオペレーティングシステムにある対応するアプリケーションプログラミングインターフェース（API）を呼び出し、アプリケーションタイプに対し有効化または無効化操作を遂行する。また、先行技術のように携帯電話機の電源を切ることをユーザーに要求したり携帯電話機を直接取り上げたりする代わりに、NFC開始側装置の信号到達範囲内にある全てのモバイル端末（すなわち、NFC受信側装置）の特定のアプリケーションに対し有効化（Enable）または無効化（Disable）操作を合理的に遂行できるため、モバイル端末の操作効率は向上する。
【０１９８】
実施形態11
本発明のこの実施形態は、実施形態8で説明したNFC受信側装置と実施形態9で説明したNFC開始側装置とを含む、近接場通信技術に基づく端末アプリケーション制御システムを提供する。
【０１９９】
本発明で前述した実施形態の説明によると、NFC受信側装置はNFC開始側装置によって送信されたアプリケーション制御情報を受信でき、アプリケーション制御情報は、アプリケーションタイプを指示するために使用されるアプリケーション識別子と、有効化または無効化操作を指示するために使用される操作指示とを含むため、NFC受信側装置は、アプリケーション制御情報を解析することによって取得されたアプリケーション識別子および操作指示に従って、NFC受信側装置のオペレーティングシステムにある対応するアプリケーションプログラミングインターフェース（API）を呼び出し、アプリケーションタイプに対し有効化または無効化操作を遂行する。また、先行技術のように携帯電話機の電源を切ることをユーザーに要求したり携帯電話機を直接取り上げたりする代わりに、NFC開始側装置の信号到達範囲内にある全てのモバイル端末（すなわち、NFC受信側装置）の特定のアプリケーションに対し有効化（Enable）または無効化（Disable）操作を合理的に遂行できるため、モバイル端末の操作効率は向上する。
【０２００】
当業者なら、簡便で簡潔な説明のため、上述した機能モジュールが一例として分割されて説明されていることをはっきり理解できるであろう。実際の応用では、要求に応じて前述した機能を異なる機能モジュールに割り当て、実装することができる。すなわち、装置の内部構造が異なる機能モジュールに分割されて上述した機能の全部または一部を実装する。前述したシステム、装置、およびユニットの詳しい作業プロセスについては、前述した方法の実施形態で対応するプロセスを参照でき、ここでは詳細を繰り返し説明しない。
【０２０１】
本願で提供されるいくつかの実施形態において、開示された装置と方法が別のやり方で実装され得ることを理解されたい。例えば、説明した装置の実施形態は典型的例に過ぎない。例えば、モジュールやユニットの分割は論理的な機能分割に過ぎず、実際の実装では別の分割であってもよい。例えば、複数のユニットやコンポーネントを組み合わせて別のシステムにまとめてもよく、一部の機能を無視してもよく、遂行しなくてもよい。加えて、表示または論述された相互結合や直接結合や通信接続は何らかのインターフェースを用いて実装されてよい。装置またはユニット間の間接結合や通信接続は電子的形態、機械的形態、またはその他形態で実装されてよい。
【０２０２】
単独部分として説明されたユニットは物理的に単独であってもなくてもよく、ユニットとして表示された部分は物理的なユニットであってもなくてもよく、1ヶ所に置かれてもよく、複数のネットワークユニットに分散されてもよい。実施形態の解決手段の目的を達成するため、ユニットの一部または全部が実際のニーズに応じて選ばれてよい。
【０２０３】
加えて、本発明の実施形態の機能ユニットは1つの処理ユニットに統合されてよく、それぞれのユニットが物理的に単独で存在してもよく、2つ以上のユニットが1つのユニットに統合されてもよい。統合されたユニットはハードウェアの形で実装されてよく、あるいはソフトウェア機能ユニットの形で実装されてもよい。
【０２０４】
統合されたユニットがソフトウェア機能ユニットの形で実装され、独立した製品として販売または使用される場合、統合されたユニットはコンピュータ可読記憶媒体に格納されてよい。このような理解に基づき、本発明の技術的解決手段は、または先行技術に寄与する部分は、または技術的解決手段の全部もしくは一部は、ソフトウェア製品の形で実装されてよい。ソフトウェア製品は記憶媒体に格納され、本発明の実施形態で説明した方法のステップの全部または一部を遂行することをコンピュータ装置（パーソナルコンピュータ、サーバー、ネットワーク装置等であってよい）やプロセッサ（processor）に命令する命令を含む。前述した記憶媒体は、USBフラッシュドライブ、リムーバブルハードディスク、読取専用メモリー（ROM、Read-Only Memory）、ランダムアクセスメモリー（RAM、Random Access Memory）、磁気ディスク、光ディスク等、プログラムコードを格納できる媒体を含む。
【０２０５】
当業者は方法の実施形態のステップの一部または全部が関連ソフトウェアに命令を出すプログラムによって実装され得ることを理解できるであろう。プログラムはコンピュータ可読記憶媒体に格納されてよい。プログラムが作動すると方法の実施形態のステップが遂行される。前述した記憶媒体は、ROM、RAM、磁気ディスク、光ディスク等、プログラムコードを格納できる媒体を含む。
【０２０６】
前述の説明は本発明の特定の実装様態に過ぎず、本発明の保護範囲を制限するものではない。本発明で開示された技術的範囲内で当業者によって容易く考え出されるバリエーションや差し替えは本発明の保護範囲内にある。本発明の保護範囲は請求項の保護範囲に準ずる。
【符号の説明】
【０２０７】
1  NFC開始側装置
2  NFC開始側管理サーバー
3  NFC受信側装置
10  受信モジュール
11  実行モジュール
12  送信モジュール
13  取得モジュール
14  判断モジュール
20  取得モジュール
21  送信モジュール
22  受信モジュール
30  受信器
31  処理器
32  送信器
40  受信器
41  送信器
110  解析モジュール
111  検索モジュール
112  制御モジュール
【図１】
0006493937.tif 000002
【図２】
0006493937.tif 000003
【図３】
0006493937.tif 000004
【図４】
0006493937.tif 000005
【図５】
0006493937.tif 000006
【図６】
0006493937.tif 000007
【図７】
0006493937.tif 000008
【図８】
0006493937.tif 000009
【図９】
0006493937.tif 000010
【図１０】
0006493937.tif 000011
【図１１】
0006493937.tif 000012
【図１２】
0006493937.tif 000013
【図１３】
0006493937.tif 000014
【図１４】
0006493937.tif 000015
【図１５】
0006493937.tif 000016
【図１６】
0006493937.tif 000017
【図１７】
0006493937.tif 000018